(57)【要約】      （修正有）【課題】分配器が出力する信号のレベルを制御することが可能な信号分配装置を実現する。【解決手段】チューナー１０に備えられる信号分配装置は、復調器ＤＥＭＯＤａ及びＤＥＭＯＤｂと、電圧比較器ＣＭＰ１と、スイッチＳＷ１と、広帯域増幅器ＡＭＰ１と、バルン２１とを備え、広帯域増幅器ＡＭＰで入力される信号のレベルを増幅し、スイッチＳＷ１で入力信号のレベルが互いに異なる値となる第１の状態と第２の状態とを切り替え、電圧比較器ＣＰＭ１で入力された制御電圧の電圧値に応じて前記切り替えを制御する。【選択図】図１
2008271441.tif 000002
【特許請求の範囲】
【請求項１】
自身に入力される信号を、複数の回路に分配して出力する分配器を備える信号分配装置であって、
上記分配器に入力される信号のレベルを増幅する増幅器と、
第１の状態における上記分配器に入力される信号のレベルと、第２の状態における上記分配器に入力される信号のレベルとが互いに異なる値となる、第１の状態と第２の状態とを切り替える切替手段と、
自身に入力された制御電圧の電圧値に応じて、上記切替手段の切り替えを制御する電圧比較制御手段とを備えることを特徴とする信号分配装置。
【請求項２】
上記切替手段の第１の状態においては、上記分配器に入力される信号は、上記増幅器を通過してから上記分配器に入力され、
上記切替手段の第２の状態においては、上記分配器に入力される信号は、上記増幅器を通過することなく上記分配器に入力されることを特徴とする請求項１に記載の信号分配装置。
【請求項３】
上記増幅器の前段に設けられ、当該増幅器に入力される信号のレベルを減衰する減衰器をさらに備え、
上記切替手段の第１の状態においては、上記増幅器に入力される信号は、上記減衰器を通過してから上記増幅器に入力され、
上記切替手段の第２の状態においては、上記増幅器に入力される信号は、上記減衰器を通過することなく上記増幅器に入力されることを特徴とする請求項１に記載の信号分配装置。
【請求項４】
上記増幅器は、互いに利得の異なる第１及び第２の増幅器を備え、
上記切替手段の第１の状態においては、上記分配器に入力される信号は、上記第１の増幅器を通過してから上記分配器に入力され、
上記切替手段の第２の状態においては、上記分配器に入力される信号は、上記第２の増幅器を通過してから上記分配器に入力されることを特徴とする請求項１に記載の信号分配装置。
【請求項５】
上記増幅器は、利得が可変である可変増幅器であり、
上記電圧比較制御手段は、電圧値に応じて上記増幅器の利得を変化させる利得制御電圧を当該増幅器の所定の端子に印加することで、当該増幅器の利得を制御し、
上記切替手段の第１の状態においては、上記電圧比較制御手段と上記増幅器の所定の端子とが導通状態となり、
上記切替手段の第２の状態においては、上記電圧比較制御手段と上記増幅器の所定の端子とが非導通状態となることを特徴とする請求項１に記載の信号分配装置。
【請求項６】
上記増幅器は、トランジスタを備え、
上記電圧比較制御手段は、上記切替手段の第１の状態において、利得制御電圧を、上記増幅器の所定の端子を介して上記トランジスタのベースに印加することで、上記増幅器の利得を制御することを特徴とする請求項５に記載の信号分配装置。
【請求項７】
上記増幅器は、トランジスタを備え、
上記電圧比較制御手段は、上記切替手段の第１の状態において、利得制御電圧を、上記増幅器の所定の端子を介して上記トランジスタのエミッタに印加することで、上記増幅器の利得を制御することを特徴とする請求項５に記載の信号分配装置。
【請求項８】
上記増幅器は、トランジスタと、当該トランジスタのコレクタからの出力の一部を当該トランジスタのベースに入力する帰還回路とを備え、
上記電圧比較制御手段は、上記切替手段の第１の状態において、利得制御電圧を、上記増幅器の所定の端子を介して上記帰還回路に印加することで当該帰還回路のインピーダンスを変化させ、当該インピーダンスの変化により上記増幅器の利得を制御することを特徴とする請求項５に記載の信号分配装置。
【請求項９】
上記増幅器は、トランジスタと、当該トランジスタのエミッタと接地面との間に設けられたコンデンサ及び可変容量ダイオードのうちの、一方または両方を備え、
上記電圧比較制御手段は、上記切替手段の第１の状態において、利得制御電圧を、上記増幅器の所定の端子を介して、上記コンデンサ及び可変容量ダイオードのうちの、一方または両方に印加することで、当該コンデンサ及び可変容量ダイオードのうちの、一方または両方の容量を変化させ、当該容量の変化により上記増幅器の利得を制御することを特徴とする請求項５に記載の信号分配装置。
【請求項１０】
上記電圧比較制御手段は、上記自身に入力された制御電圧の電圧値と予め設定された閾値との比較結果に基づいて、上記切替手段の第１の状態と第２の状態とを切り替えを制御することを特徴とする請求項１に記載の信号分配装置。
【請求項１１】
上記電圧比較制御手段は、
信号分配装置自身に入力された信号の周波数帯域に応じて上記切替手段の切り替えを制御するための情報を予め記録していることを特徴とする請求項１に記載の信号分配装置。
【請求項１２】
上記電圧比較制御手段は、
信号分配装置自身に入力される信号の周波数帯域が１回変化する毎に、上記切替手段の切り替えの制御を１回実施することを特徴とする請求項１に記載の信号分配装置。
【請求項１３】
自身に入力される信号を、複数の回路に分配して出力する分配器を備える信号分配装置であって、
上記分配器に入力される信号のレベルを増幅する増幅器と、
上記増幅器に入力される信号のレベルを減衰し、減衰量が可変である可変減衰器と、
自身に入力された制御電圧の電圧値に応じて、上記可変減衰器の減衰量を制御する電圧比較制御手段とを備え、
上記電圧比較制御手段に入力される制御電圧の電圧値は、当該電圧のレベルに応じて決定される２進数１０桁の値を１０進数として表示したレジスタ値であり、
上記電圧比較制御手段は、
上記自身に入力される制御電圧の電圧値のレジスタ値と予め設定された当該レジスタ値の閾値との比較結果に基づいて、上記切替手段における上記可変減衰器の減衰量の可変を制御することを特徴とする信号分配装置。
【請求項１４】
上記電圧比較制御手段は、
信号分配装置自身に入力された信号の周波数帯域に応じて上記可変減衰器の減衰量を制御するための情報を予め記録していることを特徴とする請求項１３に記載の信号分配装置。
【請求項１５】
上記電圧比較制御手段は、
信号分配装置自身に入力される信号の周波数帯域が１回変化する毎に、上記可変減衰器の減衰量の制御を１回実施することを特徴とする請求項１３に記載の信号分配装置。
【請求項１６】
上記電圧比較制御手段に入力される制御電圧は、
上記複数の回路のうち、少なくとも１つの回路から出力されることを特徴とする請求項１または１３に記載の信号分配装置。
【請求項１７】
自身に入力される信号を、複数の回路に分配して出力する分配器を備える信号分配装置であって、
上記分配器に入力される信号のレベルを増幅する増幅器と、
上記増幅器に入力される信号のレベルを減衰し、減衰量が可変である可変減衰器と、
エラーが発生した場合、エラーフラグを送出するエラー伝達手段と、
上記エラー伝達手段が出力したエラーフラグが入力され、当該エラーフラグが入力された回数に応じて、上記可変減衰器の減衰量を制御するエラーフラグ比較制御手段とを備えることを特徴とする信号分配装置。
【請求項１８】
上記エラーフラグ比較制御手段は、
信号分配装置自身に入力された信号の周波数帯域に応じて上記可変減衰器の減衰量を制御するための情報を予め記録していることを特徴とする請求項１７に記載の信号分配装置。
【請求項１９】
上記エラーフラグ比較制御手段に入力されるエラーフラグは、
上記複数の回路のうち、少なくとも１つの回路から出力されることを特徴とする請求項１７に記載の信号分配装置。
【請求項２０】
上記エラーフラグ比較制御手段は、
信号分配装置自身に入力される信号の周波数帯域が１回変化する毎に、上記可変減衰器の減衰量の制御を１回実施することを特徴とする請求項１７に記載の信号分配装置。
【請求項２１】
周波数の異なる複数の信号の同時受信が可能な機器に設けられる受信装置であって、
請求項１〜１６のいずれか１項に記載の信号分配装置を備え、
上記複数の回路として、上記信号分配装置の分配器のそれぞれの出力端子に接続され、互いに異なる周波数帯域を有する信号の同時受信が可能な複数の受信回路を備えることを特徴とする受信装置。
【請求項２２】
上記複数の受信回路はそれぞれ、
入力された信号を復調する復調器と、
上記信号分配装置の後段以降、かつ上記復調器の前段以前に備えられ、入力された信号を増幅し、自身の消費電力に応じて利得を可変する可変利得増幅器とを備え、
上記復調器は、上記復調する信号のレベルに応じて、上記可変利得増幅器に対して上記制御電圧を与えることによって当該可変利得増幅器の利得を可変させると共に、上記制御電圧を上記信号分配装置の電圧比較制御手段に出力することを特徴とする請求項２１に記載の受信装置。
【請求項２３】
上記可変利得増幅器は、無線周波信号及び中間周波信号のうち、いずれか一方または両方の信号のレベルを増幅するものであることを特徴とする請求項２２に記載の受信装置。
【請求項２４】
周波数の異なる複数の信号の同時受信が可能な機器に設けられる受信装置であって、
請求項１７〜２０のいずれか１項に記載の信号分配装置を備え、
上記複数の回路として、上記信号分配装置の分配器のそれぞれの出力端子に接続され、互いに異なる周波数の信号の同時受信が可能な複数の受信回路を備えることを特徴とする受信装置。
【請求項２５】
上記複数の受信回路はそれぞれ、
入力された信号を復調する復調器を備え、
上記復調器は、上記エラー伝達手段としての機能を有することを特徴とする請求項２４に記載の受信装置。
【請求項２６】
周波数の異なる複数の信号の同時受信が可能な機器であって、
請求項２１〜２５のいずれか１項に記載の受信装置を備えることを特徴とする機器。
【発明の詳細な説明】
【技術分野】
【０００１】
本発明は、地上波デジタル放送や地上波アナログ放送を受信するチューナー機器に関するものであり、特にＲＦ信号を複数の回路に分配出力する信号分配装置を有するチューナー機器に関するものである。
【背景技術】
【０００２】
近年、テレビ受信機やＤＶＤ（Digital Versatile Disc）レコーダーは、大型化が進み、ＨＤＤ（Hard disc drive：固定磁気ディスク装置）を内蔵した機器が増加傾向にある。
【０００３】
そしてそれに伴い、テレビ受信機やＤＶＤレコーダーは、複数の放送を同時に受信することができる機能を有する機器が増えている。なお、このような機器としては、例えば、複数の放送や、映像入力端子に接続されたＤＶＤの映像等を同時に視聴することができるマルチ画面対応の機器や、録画する番組の予約時に、通常のＨＤＤ録画と裏録による録画とを選択することができ、予約が重なった場合は、裏録による録画に切り替えることで両方の番組の予約ができる裏録対応の機器が挙げられる。
【０００４】
以下、図１０を基に、複数の放送を同時に受信することができる機器について説明する。
【０００５】
図１０は、複数の地上波デジタル放送を同時に受信することができる機器に搭載される、複数のチューナーを備えるセット基板の概略構成を示すブロック図である。
【０００６】
セット基板２００は、分配器としてのバルン２０１と、チューナー２０２Ａ及びチューナー２０２Ｂと、を備えている。
【０００７】
セット基板２００の入力端子から入力されたＲＦ信号はバルン２０１に入力される。
【０００８】
バルン２０１は、１つの入力端子に対して、２つの出力端子２０１ａ及び２０１ｂを有している。そして、バルン２０１は、入力されたＲＦ信号を、一方の出力端子２０１ａからチューナー２０２Ａに出力すると共に、他方の出力端子２０１ｂからチューナー２０２Ｂに出力する。
【０００９】
チューナー２０２Ａに入力されたＲＦ信号は、バンドパスフィルタＢＰＦ１ａで所望の周波数帯域のみを取りだされ、高周波増幅器ＲＦ  ＡＭＰａに出力される。
【００１０】
高周波増幅器ＲＦ  ＡＭＰａでは、バンドパスフィルタＢＰＦ１ａから入力された信号を増幅し、バンドパスフィルタＢＰＦ２ａに出力する。
【００１１】
バンドパスフィルタＢＰＦ２ａでは、高周波増幅器ＲＦ  ＡＭＰａから入力された信号に対してさらなる周波数帯域制限を行い、混合回路ＭＩＸａに出力する。
【００１２】
バンドパスフィルタＢＰＦ２ａから出力された信号は、混合回路ＭＩＸａに入力される。混合回路ＭＩＸａに入力された信号は、局部発振回路Ｌｏａで生成された局部発振成分と混合されることで周波数変換され、ＩＦ信号（Intermediate frequency：中間周波信号）としてバンドパスフィルタＢＰＦ３ａに出力される。
【００１３】
バンドパスフィルタＢＰＦ３ａでは、混合回路ＭＩＸａから入力されたＩＦ信号に対して周波数帯域制限を行い、所望の周波数帯域のみを取りだし、中間周波増幅器ＩＦ  ＡＭＰａに出力する。
【００１４】
中間周波増幅器ＩＦ  ＡＭＰａでは、バンドパスフィルタＢＰＦ３ａから入力された信号を増幅し、復調器ＤＥＭＯＤａに出力する。
【００１５】
ここで、復調器ＤＥＭＯＤａは、自身に入力された信号のレベルに応じて、高周波増幅器ＲＦ  ＡＭＰａの利得を、ＡＧＣ電圧ＲＦ  ＡＧＣａを変化させることによって制御し、中間周波増幅器ＩＦ  ＡＭＰａの利得を、ＡＧＣ電圧ＩＦ  ＡＧＣａの値を変化させることによって制御する。
【００１６】
即ち、復調器ＤＥＭＯＤａに入力される信号のレベルが所望のレベルよりも小さい場合は、ＡＧＣ電圧ＲＦ  ＡＧＣａを上昇させることによって高周波増幅器ＲＦ  ＡＭＰａの利得を上げる、及びＡＧＣ電圧ＩＦ  ＡＧＣａを上昇させることによって中間周波増幅器ＩＦ  ＡＭＰａの利得を上げる、という動作の一方或いは両方を実施する。また、復調器ＤＥＭＯＤａに入力される信号のレベルが所望のレベルよりも大きい場合は、ＡＧＣ電圧ＲＦ  ＡＧＣａを下降させることによって高周波増幅器ＲＦ  ＡＭＰａの利得を下げる、及びＡＧＣ電圧ＩＦ  ＡＧＣａを下降させることによって中間周波増幅器ＩＦ  ＡＭＰａの利得を下げる、という動作の一方或いは両方を実施する。
【００１７】
このようにして復調器ＤＥＭＯＤａは、自身に入力される信号のレベルを一定にすべく、高周波増幅器ＲＦ  ＡＭＰａ及び中間周波増幅器ＩＦ  ＡＭＰａの利得が最適な値になるように、ＡＧＣ電圧ＲＦ  ＡＧＣａ及びＡＧＣ電圧ＩＦ  ＡＧＣａの電圧値を適宜変化している。
【００１８】
また、チューナー２０２Ｂについても、チューナー２０２Ａと同様の動作を行う。
【００１９】
即ち、チューナー２０２Ｂに入力されたＲＦ信号は、バンドパスフィルタＢＰＦ１ｂで所望の周波数帯域のみを取りだされ、高周波増幅器ＲＦ  ＡＭＰｂで増幅され、バンドパスフィルタＢＰＦ２ｂでさらなる周波数帯域制限が為され、混合回路ＭＩＸｂに出力される。混合回路ＭＩＸｂに入力された信号は、局部発振回路Ｌｏｂで生成された局部発振成分と混合されることで周波数変換され、ＩＦ信号として出力される。混合回路ＭＩＸｂから出力されたＩＦ信号は、バンドパスフィルタＢＰＦ３ｂで所望の周波数帯域のみを取りだされ、中間周波増幅器ＩＦ  ＡＭＰｂで増幅され、復調器ＤＥＭＯＤｂに出力される。復調器ＤＥＭＯＤｂは、自身に入力された信号のレベルに応じて、高周波増幅器ＲＦ  ＡＭＰｂの利得を、ＡＧＣ電圧ＲＦ  ＡＧＣｂを変化させることによって制御し、中間周波増幅器ＩＦ  ＡＭＰｂの利得を、ＡＧＣ電圧ＩＦ  ＡＧＣｂの値を変化させることによって制御する。つまり、復調器ＤＥＭＯＤｂは、自身に入力される信号のレベルを一定にすべく、高周波増幅器ＲＦ  ＡＭＰｂ及び中間周波増幅器ＩＦ  ＡＭＰｂの利得が最適な値になるように、ＡＧＣ電圧ＲＦ  ＡＧＣｂ及びＡＧＣ電圧ＩＦ  ＡＧＣｂの電圧値を適宜変化する。
【００２０】
ところで、図１０に示すセット基板２００では上述のように、バルン２０１を使用してチューナー２０２Ａとチューナー２０２ＢとにＲＦ信号を分配している。しかしながら、バルン２０１に入力されたＲＦ信号は、分配損失により、レベルが約４ｄＢ下がった状態でチューナー２０２Ａ及び２０２Ｂに出力される。そして、それによってチューナー２０２Ａ及び２０２Ｂに入力されるＲＦ信号のレベルが下がると、復調器ＤＥＭＯＤａ及びＤＥＭＯＤｂに入力される信号の雑音指数は劣化し、チューナー２０２Ａ及び２０２Ｂの感度自体が劣化する、という問題が発生する。
【００２１】
このような問題を解決する手段として、例えば特許文献１には、バルンの前段に増幅器を設け、入力端子から入力された信号を増幅することによって分配損失を補填し、バルン後段に設けられた装置の感度劣化を防止する、という技術が開示されている。
【００２２】
しかしながら、この技術の場合は逆に、入力されたＲＦ信号のレベルが大きい場合において、上記増幅器に歪みが生じる。即ち、バルンの前段に増幅器を設け、全てのＲＦ信号を増幅する構成にすると、当該増幅器に入力されたＲＦ信号のレベルが大きすぎる場合は、当該増幅器から出力される信号のＢＥＲ（Bit Error Rate：ビット誤り率）が劣化する。そして、それによって、復調器ＤＥＭＯＤａ及びＤＥＭＯＤｂに入力される信号の雑音指数が劣化し、チューナーの感度が劣化してしまうという問題が発生する。
【００２３】
このような問題を解決する手段として、特許文献２には、バルンの前段に可変減衰器と増幅器との直列回路を備える、という技術が開示されている。
【００２４】
即ち、特許文献２に開示のＲＦ分配回路は、バルンの前段に可変減衰器と増幅器との直列回路を備える。そして、ＲＦ分配回路に入力されるＲＦ信号のレベルに応じて可変減衰器の減衰量を調節することで、増幅器に入力される信号のレベルを一定にする。また、増幅器はＲＦ分配回路に入力されるＲＦ信号のレベルに関らず、バルンによる分配損失を補填する利得によって当該ＲＦ信号を増幅する。
【００２５】
特許文献２に開示の技術によれば、可変減衰器によって、ＲＦ信号のレベルを一定に調節し、その信号を一定の利得で増幅する構成であるため、バルンが信号を分配する際に分配損失が発生しても、当該ＲＦ信号のレベルを一定に保持する。
【特許文献１】特開２００３−８９２９号公報（２００３年１月１０日公開）
【特許文献２】特開平２−９２０１０号公報（１９９０年３月３０日公開）
【発明の開示】
【発明が解決しようとする課題】
【００２６】
しかしながら、図１０に示すセット基板２００に対して、上記特許文献２に開示の技術を適用した場合、分配器から出力されるＲＦ信号のレベルを制御することは困難である、という問題が発生する。特にこの場合、複数のチューナー各々の受信状態に合わせて、分配器から出力されるＲＦ信号のレベルを制御することは困難である、という問題が発生する。
【００２７】
即ち、上記特許文献２に開示の技術のように、図１０に示すバルン２０１の前段に可変減衰器と増幅器との直列回路を備えた場合、バルン２０１に入力されるＲＦ信号のレベルを一定にして、チューナーに出力することができる。
【００２８】
しかしながら、当該ＲＦ信号が分配器から出力され、チューナー２０２Ａに入力されてから、復調器ＤＥＭＯＤａに入力されるまでの間にも、バンドパスフィルタＢＰＦ１ａによる当該ＲＦ信号の周波数帯域制限、高周波増幅器ＲＦ  ＡＭＰａによる当該ＲＦ信号の増幅等の様々な処理を実行している。また、チューナー２０２Ｂについても同様に、チューナー２０２Ｂに入力されてから、復調器ＤＥＭＯＤｂに入力されるまでの間に、バンドパスフィルタＢＰＦ１ｂによる当該ＲＦ信号の周波数帯域制限、高周波増幅器ＲＦ  ＡＭＰｂによる当該ＲＦ信号の増幅等の様々な処理を実行している。
【００２９】
そのため、たとえバルン２０１から出力されるＲＦ信号のレベルが一定になったとしても、復調器ＤＥＭＯＤａ及びＤＥＭＯＤｂへ入力される信号のレベルは一定にならない場合がある。また、それに伴い、チューナー２０２Ａの復調器ＤＥＭＯＤａに入力される信号のレベルとチューナー２０２Ｂの復調器ＤＥＭＯＤｂに入力される信号のレベルとは、そのレベルが一致しない場合がある。
【００３０】
つまり、バルン２０１は、復調器ＤＥＭＯＤａ及びＤＥＭＯＤｂが所望するレベルのＲＦ信号を、確実に復調器ＤＥＭＯＤａ及びＤＥＭＯＤｂに入力することができない場合がある。
【００３１】
また、例えば長年に渡る使用により、チューナー２０２Ａ及び／または２０２Ｂの特性が変化した場合は、当該特性が変化したチューナー２０２Ａ及び／または２０２Ｂに対し、所望のレベルのＲＦ信号を入力すること自体が不可能になるため、その信頼性は低い。
【００３２】
また、図１０に示すセット基板２００に対して、上記特許文献１または２に開示の技術を適用した場合、或いは図１０に示すセット基板２００をそのまま使用する場合、同軸ケーブルが複数必要となり、それによってコストが増大するという問題が発生する。
【００３３】
即ち、セット基板２００の入力端子とバルン２０１の入力端子とを接続する同軸ケーブルと、バルン２０１の一方の出力端子２０１ａとチューナー２０２Ａの入力端子とを接続する同軸ケーブルと、バルン２０１の他方の出力端子２０１ｂとチューナー２０２Ｂの入力端子とを接続する同軸ケーブルとを、それぞれ用意しなければならない。
【００３４】
本発明は、上記の問題点に鑑みてなされたものであり、その目的は、分配器が出力する信号のレベルを制御することが可能な信号分配装置を実現することにある。
【００３５】
また、本発明の別の目的は、復調器に入力される信号のレベルの変化に基づいて、受信回路に所望のレベルの信号を供給することができる受信装置を実現することにある。
【００３６】
また、本発明の別の目的は、同軸ケーブルを複数使用することに起因するコストの増大を抑制することで、材料費及び作業工数の削減を可能とする受信装置を実現することにある。
【課題を解決するための手段】
【００３７】
本発明に係る信号分配装置は、上記の課題を解決するため、自身に入力される信号を、複数の回路に分配して出力する分配器を備える信号分配装置であって、上記分配器に入力される信号のレベルを増幅する増幅器と、第１の状態における上記分配器に入力される信号のレベルと、第２の状態における上記分配器に入力される信号のレベルとが互いに異なる値となる、第１の状態と第２の状態とを切り替える切替手段と、自身に入力された制御電圧の電圧値に応じて、上記切替手段の切り替えを制御する電圧比較制御手段とを備えることを特徴としている。
【００３８】
上記の構成によれば、本発明に係る信号分配装置は、増幅器と、切替手段と、電圧比較制御手段とを備える。増幅器は、自身に入力される信号を増幅して、分配器に出力する。また、切替手段は、第１の状態と第２の状態とを切り替え、さらに、電圧比較制御手段は、当該切替手段を、自身に入力される制御電圧に応じて制御する。
【００３９】
従来の構成のとおり、分配器に入力される信号のレベルを一定化させた場合、分配器から出力された信号が回路に入力され、当該回路内で様々な信号処理が為されている間に、当該信号のレベルが変化してしまうと、当該回路が所望するレベルの信号を供給することができなくなってしまう。
【００４０】
一方、本発明に係る信号分配装置は、制御電圧に応じて、電源比較制御手段が信号のレベルを変化させる切替手段を制御し、それによって、分配器に入力される信号のレベルを変化させることができる。これにより、上記信号のレベルの変化が発生した場合においても、上記制御電圧を適切な値に設定することにより、上記回路が所望するレベルの信号を確実に供給することができる。
【００４１】
従って、分配器が出力する信号のレベルを制御することが可能となるという効果を奏する。
【００４２】
また、本発明に係る信号分配装置は、上記切替手段の第１の状態においては、上記分配器に入力される信号は、上記増幅器を通過してから上記分配器に入力され、上記切替手段の第２の状態においては、上記分配器に入力される信号は、上記増幅器を通過することなく上記分配器に入力されることを特徴としている。
【００４３】
上記の構成によれば、切替手段の第１の状態においては、分配器に入力される信号は、増幅器を通過してから分配器に入力され、切替手段の第２の状態においては、分配器に入力される信号は、増幅器を通過することなく分配器に入力される。即ち、切替手段の第１の状態においては、分配器に入力される信号は増幅され、切替手段の第２の状態においては、分配器に入力される信号は増幅されない。こうして、切替手段によって、分配器に入力される信号のレベルを変化させることができる。
【００４４】
また、本発明に係る信号分配装置は、上記増幅器の前段に設けられ、当該増幅器に入力される信号のレベルを減衰する減衰器をさらに備え、上記切替手段の第１の状態においては、上記増幅器に入力される信号は、上記減衰器を通過してから上記増幅器に入力され、上記切替手段の第２の状態においては、上記増幅器に入力される信号は、上記減衰器を通過することなく上記増幅器に入力されることを特徴としている。
【００４５】
上記の構成によれば、増幅器の前段に設けられ、増幅器に入力される信号のレベルを減衰する減衰器をさらに備える。
【００４６】
レベルの大きな信号が増幅器に入力された場合、当該信号をそのまま増幅すると、当該増幅器に歪みが生じ、当該増幅器から出力される信号のＢＥＲが劣化してしまう可能性がある。そのため、増幅器の前段に減衰器を設け、当該減衰器によって、上記信号のレベルを減衰してから、当該信号を当該増幅器に入力する。これによって、レベルの大きな信号が上記複数の回路に入力される危険性を低減することができる。
【００４７】
また、切替手段の第１の状態においては、増幅器に入力される信号は、減衰器を通過してから増幅器に入力され、切替手段の第２の状態においては、増幅器に入力される信号は、減衰器を通過することなく増幅器に入力される。即ち、切替手段の第１の状態においては、増幅器に入力される信号は前段の減衰器によって減衰され、切替手段の第２の状態においては、増幅器に入力される信号は減衰されない。こうして、切替手段によって、増幅器に入力される信号のレベルを変化させることができる。
【００４８】
また、本発明に係る信号分配装置は、上記増幅器は、互いに利得の異なる第１及び第２の増幅器を備え、上記切替手段の第１の状態においては、上記分配器に入力される信号は、上記第１の増幅器を通過してから上記分配器に入力され、上記切替手段の第２の状態においては、上記分配器に入力される信号は、上記第２の増幅器を通過してから上記分配器に入力されることを特徴としている。
【００４９】
上記の構成によれば、増幅器は、第１及び第２の増幅器を備える。また、第１の増幅器と第２の増幅器とは、それぞれ異なる利得特性を有する増幅器により構成される。そして、切替手段の第１の状態においては、分配器に入力される信号は、第１の増幅器を通過してから上記分配器に入力され、切替手段の第２の状態においては、分配器に入力される信号は、第２の増幅器を通過してから上記分配器に入力される。即ち、切替手段の第１の状態においては、分配器に入力される信号は第１の増幅器によって増幅され、切替手段の第２の状態においては、分配器に入力される信号は第１の増幅器とは利得が異なる第２の増幅器によって増幅される。こうして、切替手段によって、分配器に入力される信号のレベルを変化させることができる。
【００５０】
また、本発明に係る信号分配装置は、上記増幅器は、利得が可変である可変増幅器であり、上記電圧比較制御手段は、電圧値に応じて上記増幅器の利得を変化させる利得制御電圧を当該増幅器の、所定の端子に印加することで、当該増幅器の利得を制御し、上記切替手段の第１の状態においては、上記電圧比較制御手段と上記増幅器の所定の端子とが導通状態となり、上記切替手段の第２の状態においては、上記電圧比較制御手段と上記増幅器の所定の端子とが非導通状態となることを特徴としている。
【００５１】
上記の構成によれば、増幅器は、利得が可変である可変増幅器である。また、電圧比較制御手段は、電圧値に応じて増幅器の利得を変化させる利得制御電圧を当該増幅器の所定の回路に印加することで、当該増幅器の利得を制御する。そして、切替手段の第１の状態においては、電圧比較制御手段と増幅器の所定の端子とが導通状態となり、切替手段の第２の状態においては、電圧比較制御手段と増幅器の所定の端子とが非導通状態となる。こうして、切替手段によって、分配器に入力される信号のレベルを変化させることができる。
【００５２】
なお、このような信号のレベルの制御が可能な構成としては、例えば下記の構成が考えられる。
【００５３】
即ち、上記増幅器は、トランジスタを備え、上記電圧比較制御手段は、上記切替手段の第１の状態において、利得制御電圧を、上記増幅器の所定の端子を介して上記トランジスタのベースに印加することで、上記増幅器の利得を制御してもよい。また、上記増幅器は、トランジスタを備え、上記電圧比較制御手段は、上記切替手段の第１の状態において、利得制御電圧を、上記増幅器の所定の端子を介して上記トランジスタのエミッタに印加することで、上記増幅器の利得を制御してもよい。また、上記増幅器は、トランジスタと、当該トランジスタのコレクタからの出力の一部を当該トランジスタのベースに入力する帰還回路とを備え、上記電圧比較制御手段は、上記切替手段の第１の状態において、利得制御電圧を、上記増幅器の所定の端子を介して上記帰還回路に印加することで当該帰還回路のインピーダンスを変化させ、当該インピーダンスの変化により上記増幅器の利得を制御してもよい。さらには、上記増幅器は、トランジスタと、当該トランジスタのエミッタと接地面との間に設けられたコンデンサ及び可変容量ダイオードのうちの、一方または両方を備え、上記電圧比較制御手段は、上記切替手段の第１の状態において、利得制御電圧を、上記増幅器の所定の端子を介して、上記コンデンサ及び可変容量ダイオードのうちの、一方または両方に印加することで、当該コンデンサ及び可変容量ダイオードのうちの、一方または両方の容量を変化させ、当該容量の変化により上記増幅器の利得を制御してもよい。
【００５４】
従って、分配器が出力する信号のレベルを制御することが可能となるという効果を奏する。また、増幅器の利得を適宜可変させることで上記制御を行うため、上記制御をより精度良く行うことが可能となるという効果を奏する。
【００５５】
また、本発明に係る信号分配装置は、上記電圧比較制御手段は、上記自身に入力された制御電圧の電圧値と予め設定された閾値との比較結果に基づいて、上記切替手段の第１の状態と第２の状態とを切り替えを制御することを特徴としている。
【００５６】
上記の構成によれば、電圧比較制御手段は、自身に入力された制御電圧の電圧値と予め設定された閾値との比較結果に基づいて、切替手段の第１の状態と第２の状態とを切り替えを制御することができる。
【００５７】
また、本発明に係る信号分配装置は、上記電圧比較制御手段は、信号分配装置自身に入力された信号の周波数帯域に応じて上記切替手段の切り替えを制御するための情報を予め記録していることを特徴としている。
【００５８】
上記の構成によれば、電圧比較制御手段は、信号分配装置自身に入力された信号の周波数帯域に応じて上記切替手段の切り替えを制御するための情報を予め記録している。例えば、本発明に係る信号分配装置をテレビ受信機に設ける場合、当該テレビ受信機の受信チャンネル毎の、上記切替手段の設定（所定の受信チャンネルにおいて、切替手段を、第１の状態とするか、それとも第２の状態とするか、の設定）を予め記録しておくことができる。そして、上記テレビ受信機が実際に所定の受信チャンネルを受信した場合、上記切替手段の設定を読み出すことで、自動的に、上記切替手段の切り替えを制御することができる。
【００５９】
また、本発明に係る信号分配装置は、上記電圧比較制御手段は、信号分配装置自身に入力される信号の周波数帯域が１回変化する毎に、上記切替手段の切り替えの制御を１回実施するのが望ましい。
【００６０】
本発明に係る信号分配装置は、上記の課題を解決するため、自身に入力される信号を、複数の回路に分配して出力する分配器を備える信号分配装置であって、上記分配器に入力される信号のレベルを増幅する増幅器と、上記増幅器に入力される信号のレベルを減衰し、減衰量が可変である可変減衰器と、自身に入力された制御電圧の電圧値に応じて、上記可変減衰器の減衰量を制御する電圧比較制御手段とを備え、上記電圧比較制御手段に入力される制御電圧の電圧値は、当該電圧のレベルに応じて決定される２進数１０桁の値を１０進数として表示したレジスタ値であり、上記電圧比較制御手段は、上記自身に入力される制御電圧の電圧値のレジスタ値と予め設定された当該レジスタ値の閾値との比較結果に基づいて、上記切替手段における上記可変減衰器の減衰量の可変を制御することを特徴としている。
【００６１】
上記の構成によれば、本発明に係る信号分配装置は、増幅器と、可変減衰器と、電圧比較制御手段とを備える。増幅器は、自身に入力される信号を増幅して、分配器に出力する。可変減衰器は、減衰量が可変であり、自身に入力される信号を減衰して、増幅器に出力する。また、電圧比較制御手段は、可変減衰器の減衰量を、自身に入力される制御電圧に応じて制御する。さらに、電圧比較制御手段に入力される制御電圧の電圧値は、レジスタ値であり、電圧比較制御手段は、自身に入力される制御電圧の電圧値のレジスタ値と予め設定されたレジスタ値の閾値との比較結果に基づいて、切替手段における可変減衰器の減衰量の可変を制御する。なお、本願では、「レジスタ値」とは、当該電圧のレベルに応じて決定される２進数１０桁の値を１０進数として表示した値である。
【００６２】
従来の構成のとおり、分配器に入力される信号のレベルを一定化させた場合、分配器から出力された信号が回路に入力され、当該回路内で様々な信号処理が為されている間に、当該信号のレベルが変化してしまう可能性がある。
【００６３】
一方、本発明に係る信号分配装置は、レジスタ値として入力される制御電圧の電圧値と予め設定された電圧値のレジスタ値の閾値との比較結果に基づいて、電源比較制御手段が信号のレベルを変化させる切替手段を制御し、それによって、分配器に入力される信号のレベルを変化させる。
【００６４】
従って、分配器が出力する信号のレベルを制御することが可能となるという効果を奏する。また、可変減衰器の減衰量を適宜可変させることで上記制御を行うため、上記制御をより精度良く行うことが可能となるという効果を奏する。
【００６５】
また、本発明に係る信号分配装置は、上記電圧比較制御手段は、信号分配装置自身に入力された信号の周波数帯域に応じて上記可変減衰器の減衰量を制御するための情報を予め記録していることを特徴としている。
【００６６】
上記の構成によれば、電圧比較制御手段は、信号分配装置自身に入力された信号の周波数帯域に応じて上記可変減衰器の減衰量を制御するための情報を予め記録している。例えば、本発明に係る信号分配装置をテレビ受信機に設ける場合、当該テレビ受信機の受信チャンネル毎の、上記可変減衰器の減衰量の設定値を予め記録しておくことができる。そして、上記テレビ受信機が実際に所定の受信チャンネルを受信した場合、上記可変減衰器の減衰量の設定値を読み出すことで、自動的に、上記可変減衰器の減衰量を制御することができる。
【００６７】
また、本発明に係る信号分配装置は、上記電圧比較制御手段は、信号分配装置自身に入力される信号の周波数帯域が１回変化する毎に、上記可変減衰器の減衰量の制御を１回実施するのが望ましい。
【００６８】
また、本発明に係る信号分配装置は、上記電圧比較制御手段に入力される制御電圧は、上記複数の回路のうち、少なくとも１つの回路から出力されることを特徴としている。
【００６９】
上記の構成によれば、電圧比較制御手段に入力される制御電圧は、分配器が信号を分配して出力する、複数の回路のうち、少なくとも１つの回路から出力される。これによって、信号分配装置は、分配器から信号が入力される回路の回路状態に応じて、分配器が出力する信号のレベルを制御することが可能となる。
【００７０】
本発明に係る信号分配装置は、上記の課題を解決するため、自身に入力される信号を、複数の回路に分配して出力する分配器を備える信号分配装置であって、上記分配器に入力される信号のレベルを増幅する増幅器と、上記増幅器に入力される信号のレベルを減衰し、減衰量が可変である可変減衰器と、エラーが発生した場合、エラーフラグを送出するエラー伝達手段と、上記エラー伝達手段が出力したエラーフラグが入力され、当該エラーフラグが入力された回数に応じて、上記可変減衰器の減衰量を制御するエラーフラグ比較制御手段とを備えることを特徴としている。
【００７１】
上記の構成によれば、本発明に係る信号分配装置は、増幅器と、可変減衰器と、エラー伝達手段と、エラーフラグ比較制御手段とを備える。増幅器は、自身に入力される信号を増幅して、分配器に出力する。可変減衰器は、減衰量が可変であり、自身に入力される信号を減衰して、増幅器に出力する。また、エラーフラグ比較制御手段は、エラー伝達手段が出力したエラーフラグが入力され、当該エラーフラグが入力された回数に応じて、上記可変減衰器の減衰量を制御する。
【００７２】
従来の構成のとおり、分配器に入力される信号のレベルを一定化させた場合、分配器から出力された信号が回路に入力され、当該回路内で様々な信号処理が為されている間に、当該信号のレベルが変化してしまう可能性がある。
【００７３】
一方、本発明に係る信号分配装置は、エラーフラグが入力された回数に応じて、エラーフラグ比較制御手段が信号のレベルを制御し、それによって、分配器に入力される信号のレベルを変化させる。
【００７４】
従って、分配器が出力する信号のレベルを制御することが可能となるという効果を奏する。また、可変増幅器の利得を適宜可変させることで上記制御を行うため、上記制御をより精度良く行うことが可能となるという効果を奏する。
【００７５】
また、本発明に係る信号分配装置は、上記エラーフラグ比較制御手段は、信号分配装置自身に入力された信号の周波数帯域に応じて上記可変減衰器の減衰量を制御するための情報を予め記録していることが望ましく、上記エラーフラグ比較制御手段に入力されるエラーフラグは、上記複数の回路のうち、少なくとも１つの回路から出力されるのが望ましく、上記エラーフラグ比較制御手段は、信号分配装置自身に入力される信号の周波数帯域が１回変化する毎に、上記可変減衰器の減衰量の制御を１回実施するのが望ましい。
【００７６】
本発明に係る受信装置は、上記の課題を解決するため、周波数の異なる複数の信号の同時受信が可能な機器に設けられる受信装置であって、上記のいずれかの信号分配装置を備え、上記複数の回路として、上記信号分配装置の分配器のそれぞれの出力端子に接続され、互いに異なる周波数の信号の同時受信が可能な複数の受信回路と備えることを特徴としている。
【００７７】
上記の構成によれば、本発明に係る受信装置は、上記のいずれかの信号分配装置を備える。また、上記複数の回路として、上記信号分配装置の分配器のそれぞれの出力端子に接続され、互いに異なる周波数の信号の同時受信が可能な複数の受信回路と備える。
【００７８】
従って、分配器が上記複数の受信回路に出力する信号のレベルを制御することが可能となるという効果を奏する。
【００７９】
また、複数の受信回路と信号分配装置を受信装置の内部に備える構成であるため、接続のための同軸ケーブルの本数を少なくすることができる。
【００８０】
従って、複数の同軸ケーブルを使用することに起因するコストの増大を抑制し、材料費及び作業工数の削減が可能になる。
【００８１】
また、本発明に係る受信装置は、上記複数の受信回路はそれぞれ、入力された信号を復調する復調器と、上記信号分配装置の後段以降、かつ上記復調器の前段以前に備えられ、入力された信号を増幅し、自身の消費電力に応じて利得を可変する可変利得増幅器とを備え、上記復調器は、上記復調する信号のレベルに応じて、上記可変利得増幅器に対して上記制御電圧を与えることによって当該可変利得増幅器の利得を可変させると共に、上記制御電圧を上記信号分配装置の電圧比較制御手段に出力することを特徴としている。
【００８２】
上記の構成によれば、複数の受信回路はそれぞれ、入力された信号を復調する復調器と、信号分配装置の後段以降、かつ復調器の前段以前に備えられ、入力された信号を増幅し、自身の消費電力に応じて利得を可変する可変利得増幅器とを備える。そして、復調器は、復調する信号のレベルに応じて、可変利得増幅器に対して上記制御電圧を与えることによって当該可変利得増幅器の利得を可変させると共に、上記制御電圧を信号分配装置の電圧比較制御手段に出力する。これによって、信号分配装置は、復調器に入力される信号のレベルの変化に応じて、分配器が受信回路に入力する信号のレベルを制御することが可能となるという効果を奏する。
【００８３】
また、本発明に係る受信装置は、上記可変増幅器は、無線周波信号及び中間周波信号のうち、いずれか一方または両方の信号のレベルを増幅するものであるのが望ましい。
【００８４】
また、本発明に係る受信装置は、上記複数の受信回路はそれぞれ、入力された信号を復調する復調器を備え、上記復調器は、上記エラー伝達手段としての機能を有することを特徴としている。
【００８５】
上記の構成によれば、複数の受信回路はそれぞれ、入力された信号を復調する復調器を備え、復調器は、エラー伝達手段としての機能を有する。
【００８６】
本発明に係る機器は、上記の課題を解決するため、周波数の異なる複数の信号の同時受信が可能な機器であって、上記のいずれかの受信装置を備えることを特徴としている。
【００８７】
上記の構成によれば、本発明に係る機器は、上記のいずれかの受信装置を備える。
【００８８】
従って、信号分配装置の分配器が上記複数の受信回路に出力する信号のレベルを制御することが可能となるという効果を奏する。
【００８９】
また、受信装置の入力端子と、上記機器とを、配線を有さない状態で接続することが可能となり、さらに複数の受信回路と信号分配装置を受信装置の内部に備える構成であるため、接続のための同軸ケーブルの本数を少なくすることができる。
【００９０】
従って、複数の同軸ケーブルを使用することに起因するコストの増大を抑制し、材料費及び作業工数の削減が可能になる。
【発明の効果】
【００９１】
以上のとおり、本発明に係る信号分配装置は、自身に入力される信号を、複数の回路に分配して出力する分配器を備える信号分配装置であって、上記分配器に入力される信号のレベルを増幅する増幅器と、第１の状態における上記分配器に入力される信号のレベルと、第２の状態における上記分配器に入力される信号のレベルとが互いに異なる値となる、第１の状態と第２の状態とを切り替える切替手段と、自身に入力された制御電圧の電圧値に応じて、上記切替手段の切り替えを制御する電圧比較制御手段とを備える構成である。
【００９２】
従って、分配器が出力する信号のレベルを制御することが可能となるという効果を奏する。
【００９３】
また、本発明に係る信号分配装置は、自身に入力される信号を、複数の回路に分配して出力する分配器を備える信号分配装置であって、上記分配器に入力される信号のレベルを増幅する増幅器と、上記増幅器に入力される信号のレベルを減衰し、減衰量が可変である可変減衰器と、自身に入力された制御電圧の電圧値に応じて、上記可変減衰器の減衰量を制御する電圧比較制御手段とを備え、上記電圧比較制御手段に入力される制御電圧の電圧値は、当該電圧のレベルに応じて決定される２進数１０桁の値を１０進数として表示したレジスタ値であり、上記電圧比較制御手段は、上記自身に入力される制御電圧の電圧値のレジスタ値と予め設定された当該レジスタ値の閾値との比較結果に基づいて、上記切替手段における上記可変減衰器の減衰量の可変を制御する構成である。
【００９４】
従って、分配器が出力する信号のレベルを制御することが可能となるという効果を奏する。また、可変減衰器の減衰量を適宜可変させることで上記制御を行うため、上記制御をより精度良く行うことが可能となるという効果を奏する。
【００９５】
また、本発明に係る信号分配装置は、自身に入力される信号を、複数の回路に分配して出力する分配器を備える信号分配装置であって、上記分配器に入力される信号のレベルを増幅する増幅器と、上記増幅器に入力される信号のレベルを減衰し、減衰量が可変である可変減衰器と、エラーが発生した場合、エラーフラグを送出するエラー伝達手段と、上記エラー伝達手段が出力したエラーフラグが入力され、当該エラーフラグが入力された回数に応じて、上記可変減衰器の減衰量を制御するエラーフラグ比較制御手段とを備える構成である。
【００９６】
従って、分配器が出力する信号のレベルを制御することが可能となるという効果を奏する。また、可変増幅器の利得を適宜可変させることで上記制御を行うため、上記制御をより精度良く行うことが可能となるという効果を奏する。
【００９７】
また、本発明に係る信号分配装置は、周波数の異なる複数の信号の同時受信が可能な機器に設けられる受信装置であって、上記のいずれかの信号分配装置を備え、上記複数の回路として、上記信号分配装置の分配器のそれぞれの出力端子に接続され、互いに異なる周波数の信号の同時受信が可能な複数の受信回路と備える構成である。
【００９８】
従って、分配器が上記複数の受信回路に出力する信号のレベルを制御することが可能となるという効果を奏する。また、複数の同軸ケーブルを使用することに起因するコストの増大を抑制し、材料費及び作業工数の削減が可能になるという効果を奏する。
【００９９】
また、本発明に係る機器は、周波数の異なる複数の信号の同時受信が可能な機器であって、上記のいずれかの受信装置を備える構成である。
【発明を実施するための最良の形態】
【０１００】
本発明の実施形態について説明すると以下の通りである。なお、説明の便宜上、すでに図面を用いて説明した部材と同一の機能を有する部材には、同一の符号を付記してその説明を省略する。
〔実施の形態１〕
図１は、本発明に係るチューナーの回路ブロック図である。
【０１０１】
図１に示すチューナー（受信装置）１０は、第１のチューナー回路として、バンドパスフィルタＢＰＦ１ａ、高周波増幅器ＲＦ  ＡＭＰａ、バンドパスフィルタＢＰＦ２ａ、局部発振回路Ｌｏａに接続される混合回路ＭＩＸａ、バンドパスフィルタＢＰＦ３ａ、中間周波増幅器ＩＦ  ＡＭＰａ、及び復調器ＤＥＭＯＤａを備える構成である。また、図１に示すチューナー１０は、第２のチューナー回路として、バンドパスフィルタＢＰＦ１ｂ、高周波増幅器ＲＦ  ＡＭＰｂ、バンドパスフィルタＢＰＦ２ｂ、局部発振回路Ｌｏｂに接続される混合回路ＭＩＸｂ、バンドパスフィルタＢＰＦ３ｂ、中間周波増幅器ＩＦ  ＡＭＰｂ、及び復調器ＤＥＭＯＤｂを備える構成である。さらに、図１に示すチューナー１０は、広帯域増幅器ＡＭＰ１、スイッチ（切替手段）ＳＷ１、バルン（分配器）２１、及び電圧比較器（電圧比較制御手段）ＣＭＰ１を備える信号分配装置と、入力端子１ｉｎとを備える構成である。
【０１０２】
入力端子１ｉｎはチューナー１０の入力端子であり、受信チャンネルの選局毎に、複数の地上波デジタル放送を同時に受信することができる機器（以下「受信機」と称する、図示しない）に入力されるＲＦ信号を受信する当該受信機の受信部（図示しない）に接続されている。入力端子１ｉｎは上記受信機の入力端子として機能しており、上記受信機の受信部がＲＦ信号を受信すると、当該ＲＦ信号は、入力端子１ｉｎに入力される。
【０１０３】
なお、ここで「受信機」、即ち「複数の地上波デジタル放送を同時に受信することができる機器」としては例えば、複数の放送や、映像入力端子に接続されたＤＶＤの映像等を同時に視聴することができるマルチ画面対応の機器や、録画する番組の予約時に、通常のＨＤＤ録画と裏録による録画とを選択することができ、予約が重なった場合は、裏録による録画に切り替えることで両方の番組の予約ができる裏録対応の機器が挙げられるが、これに限らない。
【０１０４】
入力端子１ｉｎには、広帯域増幅器ＡＭＰ１及びスイッチＳＷ１の並列回路と、バルン２１とが直列に接続されている。
【０１０５】
広帯域増幅器ＡＭＰ１は、入力端子１ｉｎから入力されたＲＦ信号を増幅する。なお、広帯域増幅器ＡＭＰ１は、自身に入力された信号を増幅するようなものであればよく、このような広帯域増幅器としては周知の構成であるいかなる広帯域増幅器をも用いることが可能である。また、広帯域増幅器ＡＭＰ１の利得は例えば、５〜１５ｄＢの範囲に設定するのが望ましいが、これに限るものではない。即ち、広帯域増幅器ＡＭＰ１の利得は、チューナーの特性等に応じて適宜設定すればよい。
【０１０６】
スイッチＳＷ１は、後述する電圧比較器ＣＭＰ１からの制御信号を基に、導通状態と非導通状態とを切り替えるスイッチである。このようなスイッチＳＷ１としては、電圧比較器ＣＭＰ１から送信される信号に応じてオン／オフを切り替えられるものでさえあればよく、このようなスイッチであれば、周知の構成であるいかなるスイッチをも用いることが可能である。
【０１０７】
バルン２１は、自身に入力されたＲＦ信号を複数の線路に分配して出力する。即ち、バルン２１は、自身に入力されたＲＦ信号をバンドパスフィルタＢＰＦ１ａに出力すると共に、当該ＲＦ信号をバンドパスフィルタＢＰＦ１ｂに出力する。
【０１０８】
なお、バルン２１の構成は、入力された信号を複数の回路に分配出力することが可能な構成であれば、周知の構成であるいかなるバルンをも用いることが可能である。もちろん、図１０に示すセット基板２００で使用されるバルン２０１と同一のものであっても構わない。また、本実施の形態及び後述する実施の形態では、バルン２１は、自身に入力された信号を２つの回路（バンドパスフィルタＢＰＦ１ａ及びＢＰＦ１ｂ）に分配して出力している。しかしながら、バルン２１は、必要であれば、自身に入力された信号を３つ以上の回路に分配して出力しても構わない。即ち、バルン２１は、入力された信号を複数の線路に分配出力することが可能であるものが使用され、このようなバルンとしては周知の構成であるいかなる広帯域増幅器をも用いることが可能である。
【０１０９】
バンドパスフィルタＢＰＦ１ａは、自身に入力された信号から希望信号成分のみを取り出し、高周波増幅器ＲＦ  ＡＭＰａに出力する。バンドパスフィルタＢＰＦ１ｂは、自身に入力された信号から希望信号成分のみを取り出し、高周波増幅器ＲＦ  ＡＭＰｂに出力する。
【０１１０】
高周波増幅器ＲＦ  ＡＭＰａは、バンドパスフィルタＢＰＦ１ａから入力された信号を増幅し、バンドパスフィルタＢＰＦ２ａに出力する。高周波増幅器ＲＦ  ＡＭＰｂは、バンドパスフィルタＢＰＦ１ｂから入力された信号を増幅し、バンドパスフィルタＢＰＦ２ｂに出力する。
【０１１１】
バンドパスフィルタＢＰＦ２ａは、高周波増幅器ＲＦ  ＡＭＰａから入力された信号に対してさらなる周波数帯域制限を施し、混合回路ＭＩＸａに出力する。バンドパスフィルタＢＰＦ２ｂは、高周波増幅器ＲＦ  ＡＭＰｂから入力された信号に対してさらなる周波数帯域制限を施し、混合回路ＭＩＸｂに出力する。
【０１１２】
混合回路ＭＩＸａは、局部発振回路Ｌｏａを備える。混合回路ＭＩＸａは、バンドパスフィルタＢＰＦ２ａから入力された信号に局部発振回路Ｌｏａで生成された局部発振成分を混合することで当該信号の周波数変換を行い、当該信号をＩＦ信号としてバンドパスフィルタＢＰＦ３ａに出力する。混合回路ＭＩＸｂは、局部発振回路Ｌｏｂを備える。混合回路ＭＩＸｂは、バンドパスフィルタＢＰＦ２ｂから入力された信号に局部発振回路Ｌｏｂで生成された局部発振成分を混合することで当該信号の周波数変換を行い、当該信号をＩＦ信号としてバンドパスフィルタＢＰＦ３ｂに出力する。
【０１１３】
バンドパスフィルタＢＰＦ３ａは、混合回路ＭＩＸａから入力されたＩＦ信号に対して周波数帯域制限を行い、所望の周波数帯域のみを取りだし、中間周波増幅器ＩＦ  ＡＭＰａに出力する。バンドパスフィルタＢＰＦ３ｂは、混合回路ＭＩＸｂから入力されたＩＦ信号に対して周波数帯域制限を行い、所望の周波数帯域のみを取りだし、中間周波増幅器ＩＦ  ＡＭＰｂに出力する。
【０１１４】
中間周波増幅器ＩＦ  ＡＭＰａは、バンドパスフィルタＢＰＦ３ａから入力された信号を増幅し、復調器ＤＥＭＯＤａに出力する。中間周波増幅器ＩＦ  ＡＭＰｂは、バンドパスフィルタＢＰＦ３ｂから入力された信号を増幅し、復調器ＤＥＭＯＤｂに出力する。
【０１１５】
復調器ＤＥＭＯＤａは、中間周波増幅器ＩＦ  ＡＭＰａから入力された信号の復調処理を行うと共に、自身に入力された信号のレベルに応じて、高周波増幅器ＲＦ  ＡＭＰａの利得をＡＧＣ電圧ＲＦ  ＡＧＣａを変化させることによって制御し、中間周波増幅器ＩＦ  ＡＭＰａの利得をＡＧＣ電圧ＩＦ  ＡＧＣａの値を変化させることによって制御する。つまり、復調器ＤＥＭＯＤａは、自身に入力される信号のレベルを一定にすべく、高周波増幅器ＲＦ  ＡＭＰａ及び中間周波増幅器ＩＦ  ＡＭＰａの利得が最適な値になるように、ＡＧＣ電圧ＲＦ  ＡＧＣａ及びＡＧＣ電圧ＩＦ  ＡＧＣａの電圧値を適宜変化する。復調器ＤＥＭＯＤｂは、中間周波増幅器ＩＦ  ＡＭＰｂから入力された信号の復調処理を行うと共に、自身に入力された信号のレベルに応じて、高周波増幅器ＲＦ  ＡＭＰｂの利得をＡＧＣ電圧ＲＦ  ＡＧＣｂを変化させることによって制御し、中間周波増幅器ＩＦ  ＡＭＰｂの利得をＡＧＣ電圧ＩＦ  ＡＧＣｂの値を変化させることによって制御する。つまり、復調器ＤＥＭＯＤｂは、自身に入力される信号のレベルを一定にすべく、高周波増幅器ＲＦ  ＡＭＰｂ及び中間周波増幅器ＩＦ  ＡＭＰｂの利得が最適な値になるように、ＡＧＣ電圧ＲＦ  ＡＧＣｂ及びＡＧＣ電圧ＩＦ  ＡＧＣｂの電圧値を適宜変化する。
【０１１６】
つまり、第１のチューナー回路については、図１０に示すセット基板２００に設けられるチューナー２０２Ａと同一の機能を有し、第２のチューナー回路については、図１０に示すセット基板２００に設けられるチューナー２０２Ｂと同一の機能を有する。
【０１１７】
なお、この中で、高周波増幅器ＲＦ  ＡＭＰａ・ＲＦ  ＡＭＰｂ、中間周波増幅器ＩＦ  ＡＭＰａ・ＩＦ  ＡＭＰｂは全て可変利得アンプである。また、これらの可変利得アンプは例えば、消費電力を変化させることで利得を制御することが可能であるものが使用される。
【０１１８】
この場合、ＡＧＣ電圧ＲＦ  ＡＧＣａの電圧値を変化させることで高周波増幅器ＲＦ  ＡＭＰａの利得を変化させることができる。また、ＡＧＣ電圧ＩＦ  ＡＧＣａの電圧値を変化させることで中間周波増幅器ＩＦ  ＡＭＰａの利得を変化させることができる。さらに、ＡＧＣ電圧ＲＦ  ＡＧＣｂの電圧値を変化させることで高周波増幅器ＲＦ  ＡＭＰｂの利得を変化させることができる。そして、ＡＧＣ電圧ＩＦ  ＡＧＣｂの電圧値を変化させることで中間周波増幅器ＩＦ  ＡＭＰｂの利得を変化させることができる。
【０１１９】
ここで、復調器ＤＥＭＯＤａは、電圧比較器ＣＭＰ１に接続されている。そして、復調器ＤＥＭＯＤａは、高周波増幅器ＲＦ  ＡＭＰａに出力したＡＧＣ電圧ＲＦ  ＡＧＣａ及び中間周波増幅器ＩＦ  ＡＭＰａに出力したＡＧＣ電圧ＩＦ  ＡＧＣａを、制御電圧として電圧比較器ＣＭＰ１にも同様に出力する。
【０１２０】
また、復調器ＤＥＭＯＤｂは、電圧比較器ＣＭＰ１に接続されている。そして、復調器ＤＥＭＯＤｂは、高周波増幅器ＲＦ  ＡＭＰｂに出力したＡＧＣ電圧ＲＦ  ＡＧＣｂ及び中間周波増幅器ＩＦ  ＡＭＰｂに出力したＡＧＣ電圧ＩＦ  ＡＧＣｂを、制御電圧として電圧比較器ＣＭＰ１にも同様に出力する。
【０１２１】
電圧比較器ＣＭＰ１は、ＡＧＣ電圧ＲＦ  ＡＧＣａ、ＡＧＣ電圧ＩＦ  ＡＧＣａ、ＡＧＣ電圧ＲＦ  ＡＧＣｂ、及びＡＧＣ電圧ＩＦ  ＡＧＣｂが入力され、それぞれのＡＧＣ電圧の電圧値が、基準電圧以上であるか否かを判定する。そして、判定結果に基づき、スイッチＳＷ１を開く旨の信号またはスイッチＳＷ１を閉じる旨の信号を、スイッチＳＷ１に出力する。
【０１２２】
なお、電圧比較器ＣＭＰ１の構成としては、例えば下記のロジック信号を用いる構成が考えられる。
【０１２３】
即ち、ＡＧＣ電圧ＲＦ  ＡＧＣａ、ＡＧＣ電圧ＩＦ  ＡＧＣａ、ＡＧＣ電圧ＲＦ  ＡＧＣｂ、及びＡＧＣ電圧ＩＦ  ＡＧＣｂと基準電圧とを比較する。そして、上記比較結果が所定の条件を満たした場合にはＨｉｇｈレベルの信号を出力することで、スイッチを閉じる。また、上記比較結果が所定の条件を満たさなかった場合にはＬｏｗレベルの信号を出力することで、スイッチを開く。
【０１２４】
なお、復調器ＤＥＭＯＤａ及びＤＥＭＯＤｂが出力する上記各ＡＧＣ電圧の最大値及び最小値は例えば、最大値が３．３Ｖ、最小値が０．５Ｖとなる。そこで、上記電圧比較器ＣＭＰ１の基準電圧は、例えば３Ｖに設定すればよい。しかしながら、上記基準電圧の設定値についてはこれに限らず、上記基準電圧の設定値は、チューナーの特性等に応じて適宜設定すればよい。また、当然ながら、ＡＧＣ電圧ＲＦ ＡＧＣａ、ＲＦ ＡＧＣｂ、ＩＦ ＡＧＣａ、及びＩＦ  ＡＧＣｂの基準電圧の設定値は、それぞれが別々の値に設定されていても構わない。
【０１２５】
なお、電圧比較器ＣＭＰ１によってスイッチＳＷ１を制御するための「所定の条件」については後述する。
【０１２６】
次に、図１に示すチューナーの動作について説明する。
【０１２７】
上記受信機の受信部がＲＦ信号を受信すると、当該ＲＦ信号は、入力端子１ｉｎに入力される。
【０１２８】
入力端子１ｉｎに入力されたＲＦ信号は、スイッチＳＷ１が開いている場合は、広帯域増幅器ＡＭＰ１に入力される。広帯域増幅器ＡＭＰ１では、入力端子１ｉｎから入力された信号を増幅し、バルン２１に出力する。
【０１２９】
また、スイッチＳＷ１が閉じている場合、広帯域増幅器ＡＭＰ１はショートする。即ち、スイッチＳＷ１が閉じることによって、広帯域増幅器ＡＭＰ１と並列に接続された、スイッチＳＷ１を備える線路が短絡し、入力端子１ｉｎに入力されたＲＦ信号は、広帯域増幅器ＡＭＰ１をバイパスし、バルン２１に入力される。
【０１３０】
バルン２１に入力されたＲＦ信号は、第１のチューナー回路と、第２のチューナー回路とに、分配されて出力される。
【０１３１】
バルン２１から出力された信号が第１のチューナー回路に入力されると、図１０に示すセット基板２００に設けられるチューナー２０２Ａと同一の処理を行う。そして、バルン２１から出力された信号が第２のチューナー回路に入力されると、図１０に示すセット基板２００に設けられるチューナー２０２Ｂと同一の処理を行う。
【０１３２】
ここで、復調器ＤＥＭＯＤａが高周波増幅器ＲＦ  ＡＭＰａの利得を制御するために出力したＡＧＣ電圧ＲＦ  ＡＧＣａ及び中間周波増幅器ＩＦ  ＡＭＰａの利得を制御するために出力したＡＧＣ電圧ＩＦ  ＡＧＣａが電圧比較器ＣＭＰ１に入力される。さらに、復調器ＤＥＭＯＤｂが高周波増幅器ＲＦ  ＡＭＰｂの利得を制御するために出力したＡＧＣ電圧ＲＦ  ＡＧＣｂ及び中間周波増幅器ＩＦ  ＡＭＰｂの利得を制御するために出力したＡＧＣ電圧ＩＦ  ＡＧＣｂが電圧比較器ＣＭＰ１に入力される。
【０１３３】
上述したように、高周波増幅器ＲＦ  ＡＭＰａ及びＲＦ  ＡＭＰｂ、中間周波増幅器ＩＦ  ＡＭＰａ及びＩＦ  ＡＭＰｂは全て可変利得アンプである。また、これらの可変利得アンプは、消費電力を変化させることで利得を制御することが可能であるものが使用されている。一般的にこのような回路の性能は、回路の消費電力とトレードオフの関係にあり、回路の性能は消費電力に比例する。
【０１３４】
そのため、復調器ＤＥＭＯＤａ及び／または復調器ＤＥＭＯＤｂに入力される電圧が低い場合は、回路に与えるＡＧＣ電圧を上げることで利得を上げ、自身に入力される信号のレベルを上昇させている。逆に、復調器ＤＥＭＯＤａ及び／または復調器ＤＥＭＯＤｂに入力される電圧が高い場合は、回路に与えるＡＧＣ電圧を下げることで利得を下げ、自身に入力される信号のレベルを下降させている。
【０１３５】
以上のことより、復調器ＤＥＭＯＤａが出力するＡＧＣ電圧ＲＦ  ＡＧＣａ及びＩＦ  ＡＧＣａ、及び復調器ＤＥＭＯＤｂが出力するＡＧＣ電圧ＲＦ  ＡＧＣｂ及びＩＦ  ＡＧＣｂの電圧値を、電圧比較器ＣＭＰ１を用いて比較することで、復調器ＤＥＭＯＤａ及びＤＥＭＯＤｂに入力された信号のレベルの大小が分かる。
【０１３６】
なお、言うまでも無いが、ＡＧＣ電圧ＲＦ  ＡＧＣａやＡＧＣ電圧ＩＦ  ＡＧＣａが低ければ、復調器ＤＥＭＯＤａに入力される信号のレベルが大きいということを指し、ＡＧＣ電圧ＲＦ  ＡＧＣａやＡＧＣ電圧ＩＦ  ＡＧＣａが高ければ、復調器ＤＥＭＯＤａに入力される信号のレベルが小さいということを指す。また、ＡＧＣ電圧ＲＦ  ＡＧＣｂやＡＧＣ電圧ＩＦ  ＡＧＣｂが低ければ、復調器ＤＥＭＯＤｂに入力される信号のレベルが大きいということを指し、ＡＧＣ電圧ＲＦ  ＡＧＣｂやＡＧＣ電圧ＩＦ  ＡＧＣｂが高ければ、復調器ＤＥＭＯＤｂに入力される信号のレベルが小さいということを指す。
【０１３７】
電圧比較器ＣＭＰ１は、入力されたＡＧＣ電圧ＲＦ  ＡＧＣａ、ＡＧＣ電圧ＩＦ  ＡＧＣａ、ＡＧＣ電圧ＲＦ  ＡＧＣｂ、及びＡＧＣ電圧ＩＦ  ＡＧＣｂが、それぞれ基準電圧（例えば３Ｖ）以上であるか否かを判定する。そして、下記〔表１〕のとおり、電圧比較器ＣＭＰ１は、ＡＧＣ電圧ＩＦ  ＡＧＣａ及びＡＧＣ電圧ＩＦ ＡＧＣｂが共に基準電圧以下であり、かつＡＧＣ電圧ＲＦ  ＡＧＣａ及びＡＧＣ電圧ＲＦ ＡＧＣｂのうち、少なくとも一方が基準電圧以下の場合にスイッチＳＷ１を閉じる旨の信号を、スイッチＳＷ１に送出する。
【０１３８】
【表１】
2008271441.tif 000003
【０１３９】
但し、ここで電圧比較器ＣＭＰ１は、スイッチＳＷ１を２値のロジック信号で制御しているものとし、スイッチＳＷ１を開く（切替手段の第１の状態）旨の信号をＬｏｗ、スイッチＳＷ１を閉じる（切替手段の第２の状態）旨の信号をＨｉｇｈとしている。
【０１４０】
ところで、図１０に示すセット基板２００では、非常に大きな信号や、逆に非常に小さな信号がチューナー２０２Ａ及び２０２Ｂに入力された場合においては、当該信号を所望のレベルに制御することができないまま復調器ＤＥＭＯＤａ及びＤＥＭＯＤｂに入力されてしまうという問題がある。
【０１４１】
即ち、上述のように、図１０に示すセット基板２００において復調器ＤＥＭＯＤａ及びＤＥＭＯＤｂは、自身が出力するＡＧＣ電圧を上げたり下げたりすることで、高周波増幅器ＲＦ  ＡＭＰａ及びＲＦ  ＡＭＰｂ、及び中間周波増幅器ＩＦ  ＡＭＰａ及びＩＦ  ＡＭＰｂの利得を上昇または下降させ、それによって、自身に入力される信号のレベルを一定にしている。
【０１４２】
しかしながら、復調器ＤＥＭＯＤａ及びＤＥＭＯＤｂが出力するＡＧＣ電圧値、及び高周波増幅器ＲＦ  ＡＭＰａ、高周波増幅器ＲＦ  ＡＭＰｂ、中間周波増幅器ＩＦ  ＡＭＰａ、及び中間周波増幅器ＩＦ  ＡＭＰｂの利得にはそれぞれ限界値がある。そして、それに伴い、復調器ＤＥＭＯＤａ及びＤＥＭＯＤｂが所望のレベルに制御することが可能な信号のレベルについても範囲が限られている。そして、その範囲を逸脱するレベルの信号が入力された場合、その信号を所望のレベルに制御することができず、放送の受信に支障をきたす。
【０１４３】
以下、上記の問題について、図２（ａ）〜（ｄ）を基に説明する。
【０１４４】
図２（ａ）は、チューナーに入力されるＲＦ信号と復調器ＤＥＭＯＤのＲＦ  ＡＧＣ（高周波増幅器ＲＦ  ＡＭＰに対する、復調器ＤＥＭＯＤの自動利得制御電圧）及びＩＦ  ＡＧＣ（中間周波増幅器ＩＦ  ＡＭＰに対する、復調器ＤＥＭＯＤの自動利得制御電圧）のＡＧＣ電圧との関係を示すグラフである。図２（ｂ）は、チューナーに入力されるＲＦ信号とチューナー全体の利得との関係を示すグラフである。図２（ｃ）は、チューナーに入力されるＲＦ信号と復調器ＤＥＭＯＤに入力される信号のレベルとの関係を示すグラフである。
【０１４５】
まずは、チューナーに入力された信号のレベルが非常に小さい場合、即ち領域Ａの場合、復調器ＤＥＭＯＤのＲＦ  ＡＧＣ及びＩＦ  ＡＧＣのＡＧＣ電圧は共に最大（例えば、３．３Ｖ）となり、チューナー全体の利得も最大（例えば、６５ｄＢ）となる。しかしながら、復調器ＤＥＭＯＤに入力される信号のレベルは所望の値までは上昇しない。そのため、復調器ＤＥＭＯＤにエラーが発生し、放送の受信に支障をきたす。
【０１４６】
次に、チューナーに入力された信号のレベルがやや小さい場合、即ち領域Ｂの場合、復調器ＤＥＭＯＤのＲＦ  ＡＧＣのＡＧＣ電圧は最大となり、高周波増幅器ＲＦ  ＡＭＰの利得は最大となる。一方、復調器ＤＥＭＯＤのＩＦ  ＡＧＣのＡＧＣ電圧は、チューナーに入力された信号のレベルに比例して小さくなり、それに伴い、中間周波増幅器ＩＦ  ＡＭＰの利得も減少する。それによって、チューナーに入力された信号は、高周波増幅器ＲＦ  ＡＭＰ及び中間周波増幅器ＩＦ  ＡＭＰによって適正に利得制御され、復調器ＤＥＭＯＤへ入力される信号のレベルは一定に保たれる。
【０１４７】
チューナーに入力された信号のレベルがやや大きい場合、即ち領域Ｃの場合、高周波増幅器ＲＦ  ＡＭＰのＡＧＣ電圧は、チューナーに入力された信号のレベルに比例して小さくなり、それに伴い、高周波増幅器ＲＦ  ＡＭＰの利得も減少する。一方、復調器ＤＥＭＯＤのＩＦ  ＡＧＣのＡＧＣ電圧は最小となり、中間周波増幅器ＩＦ  ＡＭＰの利得は最小（例えば、０．５Ｖ）となる。それによって、チューナーに入力された信号は、高周波増幅器ＲＦ  ＡＭＰ及び中間周波増幅器ＩＦ  ＡＭＰによって適正に利得制御され、復調器ＤＥＭＯＤへ入力される信号のレベルは一定に保たれる。
【０１４８】
そして、チューナーに入力された信号のレベルが非常に大きい場合、即ち領域Ｄの場合、復調器ＤＥＭＯＤのＲＦ  ＡＧＣ及びＩＦ  ＡＧＣのＡＧＣ電圧は共に最小となり、チューナー全体の利得も最小（例えば、２０ｄＢ）となる。しかしながら、復調器ＤＥＭＯＤに入力される信号のレベルは所望の値までは減少しない。そのため、復調器ＤＥＭＯＤにエラーが発生し、放送の受信に支障をきたす。
【０１４９】
なお、チューナーに入力された信号のレベルが領域Ｄよりも大きい場合は、チューナーの飽和電圧に達する。即ち、チューナーに入力された信号のレベルが、チューナーが受信できる電圧のレベルを超えてしまうので、復調器ＤＥＭＯＤへ入力される信号のレベルは、ある一定のレベル以上は上がらない。
【０１５０】
また、図２（ｄ）は、チューナーに入力されるＲＦ信号と復調器ＤＥＭＯＤに入力される信号のＢＥＲ（ビット誤り率）との関係を示すグラフである。領域Ｂ及び領域ＣではＢＥＲは低い（概ね、１０４ビットの送出に対して復調後ビットエラー数が２以下、即ち、ＢＥＲ値２ｅ‐４以下）値で安定されているが、領域Ａ及び領域ＤにおいてＢＥＲは急激に上昇している。即ち、非常に大きな信号や、逆に非常に小さな信号がチューナーに入力された場合（特に、非常に小さな信号がチューナーに入力された場合）、復調器ＤＥＭＯＤへ入力される信号の雑音指数が劣化し、それに伴い、チューナーの感度自体が劣化する、という問題もある。
【０１５１】
以上のことより、復調器ＤＥＭＯＤａ及びＤＥＭＯＤｂに入力される信号は、領域Ｂまたは領域Ｃに保持される必要がある。そのため、復調器ＤＥＭＯＤａ及びＤＥＭＯＤｂが出力するそれぞれのＡＧＣ電圧を比較することで、復調器ＤＥＭＯＤａ及びＤＥＭＯＤｂに入力される信号のレベルの大小を検知している。
【０１５２】
そして、ＡＧＣ電圧ＩＦ  ＡＧＣａ及びＡＧＣ電圧ＩＦ ＡＧＣｂが共に基準電圧以下であり、かつＡＧＣ電圧ＲＦ  ＡＧＣａ及びＡＧＣ電圧ＲＦ ＡＧＣｂのうち、少なくとも一方が基準電圧以下の場合は、スイッチＳＷ１を閉じることで広帯域増幅器ＡＭＰ１をバイパスし、入力端子１ｉｎから入力されるＲＦ信号を増幅しない状態でバルン２１に出力する。また、それ以外の場合は、スイッチＳＷ１を開くことで広帯域増幅器ＡＭＰ１によって上記ＲＦ信号を増幅し、バルン２１に出力する。
【０１５３】
これによって、バルン２１は第１及び第２のチューナー回路の受信状態に応じて、当該第１及び第２のチューナー回路が所望するレベルのＲＦ信号を適切に出力する。そして、バルン２１から出力された信号は、高周波増幅器ＲＦ  ＡＭＰａ、高周波増幅器ＲＦ  ＡＭＰｂ、中間周波増幅器ＩＦ  ＡＭＰａ、及び中間周波増幅器ＩＦ  ＡＭＰｂによって適正に利得制御される。そして、復調器ＤＥＭＯＤａ及びＤＥＭＯＤｂへ入力される信号のレベルは一定に保たれる。
【０１５４】
なお、本実施の形態では〔表１〕のとおり、電圧比較器ＣＭＰ１は、ＡＧＣ電圧ＩＦ  ＡＧＣａ及びＡＧＣ電圧ＩＦ ＡＧＣｂが共に基準電圧以下であり、かつＡＧＣ電圧ＲＦ  ＡＧＣａ及びＡＧＣ電圧ＲＦ ＡＧＣｂのうち、少なくとも一方が基準電圧以下の場合にスイッチＳＷ１を閉じる旨の信号を、スイッチＳＷ１に送出している。
【０１５５】
しかしながら、スイッチＳＷ１の開閉の制御方法はこれに限らない。即ち、例えば、ＡＧＣ電圧ＩＦ  ＡＧＣａ及びＡＧＣ電圧ＩＦ ＡＧＣｂのいずれかが基準電圧以下である場合に、スイッチＳＷ１を閉じる旨の信号を、スイッチＳＷ１に送出する構成であってもよい。
【０１５６】
電圧比較器ＣＭＰ１によるスイッチＳＷ１の制御は、どのようなタイミングで行っても構わないが、１回の放送を選局する毎、即ち、受信チャンネルを１回変更する毎に、上記制御を１回行うルーチンとするのが望ましい。これによって、受信機の受信チャンネルを変更した場合においても、第１及び第２のチューナー回路に所望のレベルの信号を供給することが可能になる。
【０１５７】
このようにして、復調器ＤＥＭＯＤａ及びＤＥＭＯＤｂに入力される信号のレベルの変化に応じて、バルン２１が分配・出力する信号のレベルを、第１及び第２のチューナー回路が所望するレベルに制御することが可能となる。
【０１５８】
また、チューナー１０の入力端子１ｉｎが、上記受信機に、配線を有さない状態で接続され、さらに分配器をチューナー１０の内部に備える構成であるため、同軸ケーブルの本数を少なくすることができる。
【０１５９】
従って、複数の同軸ケーブルを使用することに起因するコストの増大を抑制し、材料費及び作業工数の削減が可能になる。
〔実施の形態２〕
図３は、本発明に係る別のチューナーの回路ブロック図である。
【０１６０】
図３に示すチューナー１１は、図１に示すチューナー１０において、入力端子１ｉｎとバルン２１との間には、広帯域増幅器ＡＭＰ１とスイッチＳＷ１との並列回路の代わりに、減衰器ＡＴＴ１とスイッチＳＷ１との並列回路と広帯域増幅器ＡＭＰ１との直列回路が、入力端子１ｉｎ及びバルン２１と直列に接続されている。
【０１６１】
減衰器ＡＴＴ１は、入力端子１ｉｎから入力されたＲＦ信号を減衰する。なお、減衰器ＡＴＴ１は、自身に入力された信号を減衰するようなものであればよく、このような減衰器としては周知の構成であるいかなる減衰器をも用いることが可能である。また、減衰器ＡＴＴ１の減衰量は例えば、５〜１５ｄＢ（即ち、自身に入力された信号を５ｄＢ〜１５ｄＢ減衰する）の範囲に設定するのが望ましいが、これに限るものではない。即ち、減衰器ＡＴＴ１の減衰量は、チューナーの特性等に応じて適宜設定すればよい。
【０１６２】
また、復調器ＤＥＭＯＤａは電圧比較器ＣＭＰ１に接続されており、高周波増幅器ＲＦ  ＡＭＰａに出力したＡＧＣ電圧ＲＦ  ＡＧＣａのみを電圧比較器ＣＭＰ１にも同様に出力する。さらに、復調器ＤＥＭＯＤｂは電圧比較器ＣＭＰ１に接続されており、高周波増幅器ＲＦ  ＡＭＰｂに出力したＡＧＣ電圧ＲＦ  ＡＧＣｂのみを電圧比較器ＣＭＰ１にも同様に出力する。
【０１６３】
電圧比較器ＣＭＰ１は、ＡＧＣ電圧ＲＦ  ＡＧＣａ及びＡＧＣ電圧ＲＦ  ＡＧＣｂが入力され、それぞれの電圧値が、基準電圧（例えば３Ｖ）以上であるか否かを判定する。そして、判定結果に基づき、スイッチＳＷ１を開く旨の信号またはスイッチＳＷ１を閉じる旨の信号を、スイッチＳＷ１に出力する。
【０１６４】
復調器ＤＥＭＯＤａが高周波増幅器ＲＦ  ＡＭＰａの利得を制御するために出力したＡＧＣ電圧ＲＦ  ＡＧＣａは、電圧比較器ＣＭＰ１に入力される。さらに、復調器ＤＥＭＯＤｂが高周波増幅器ＲＦ  ＡＭＰｂの利得を制御するために出力したＡＧＣ電圧ＲＦ  ＡＧＣｂは、電圧比較器ＣＭＰ１に入力される。
【０１６５】
電圧比較器ＣＭＰ１は、入力されたＡＧＣ電圧ＲＦ  ＡＧＣａ及びＡＧＣ電圧ＲＦ  ＡＧＣｂの電圧値が、それぞれ基準電圧以上であるか否かを判定する。そして、下記〔表２〕のように、電圧比較器ＣＭＰ１は、ＡＧＣ電圧ＲＦ  ＡＧＣａ及びＡＧＣ電圧ＲＦ ＡＧＣｂが共に基準電圧以下の場合にのみ、スイッチＳＷ１を開く旨の信号を、スイッチＳＷ１に送出する。
【０１６６】
【表２】
2008271441.tif 000004
【０１６７】
但し、ここで電圧比較器ＣＭＰ１は、スイッチＳＷ１を２値のロジック信号で制御しているものとし、スイッチＳＷ１を開く（切替手段の第１の状態）旨の信号をＨｉｇｈ、スイッチＳＷ１を閉じる（切替手段の第２の状態）旨の信号をＬｏｗとしている。
【０１６８】
従って、第１及び／または第２のチューナー回路に入力される信号のレベルが小さい場合は、スイッチＳＷ１を閉じることで減衰器ＡＴＴ１をバイパスし、入力端子１ｉｎから入力されるＲＦ信号を減衰しない状態で広帯域増幅器ＡＭＰ１によって増幅し、バルン２１に出力する。また、第１及び第２のチューナー回路に入力される信号のレベルが共に大きい場合は、スイッチＳＷ１を開くことで減衰器ＡＴＴ１によって上記ＲＦ信号を減衰してから広帯域増幅器ＡＭＰ１によって増幅し、バルン２１に出力する。
【０１６９】
これによって、バルン２１は第１及び第２のチューナー回路の受信状態に応じて、当該第１及び第２のチューナー回路が所望するレベルのＲＦ信号を適切に出力する。そして、バルン２１から出力された信号は、高周波増幅器ＲＦ  ＡＭＰａ、高周波増幅器ＲＦ  ＡＭＰｂ、中間周波増幅器ＩＦ  ＡＭＰａ、及び中間周波増幅器ＩＦ  ＡＭＰｂによって適正に利得制御される。そして、復調器ＤＥＭＯＤａ及びＤＥＭＯＤｂへ入力される信号のレベルは一定に保たれる。
【０１７０】
なお、本実施の形態では〔表２〕のとおり、電圧比較器ＣＭＰ１は、ＡＧＣ電圧ＲＦ  ＡＧＣａ及びＡＧＣ電圧ＲＦ ＡＧＣｂが共に基準電圧以下の場合にのみスイッチＳＷ１を閉じる旨の信号を、スイッチＳＷ１に送出している。
【０１７１】
しかしながら、スイッチＳＷ１の開閉の制御方法はこれに限らない。即ち、例えば、ＡＧＣ電圧ＲＦ  ＡＧＣａ及び／またはＡＧＣ電圧ＲＦ ＡＧＣｂが基準電圧以下である場合に、スイッチＳＷ１を閉じる旨の信号を、スイッチＳＷ１に送出する構成であってもよい。
【０１７２】
また、本実施の形態では、電圧比較器ＣＭＰ１は、ＡＧＣ電圧ＲＦ  ＡＧＣａ及びＡＧＣ電圧ＲＦ  ＡＧＣｂのみが入力される構成である。
【０１７３】
しかしながら、電圧比較器ＣＭＰ１に入力される電圧値の組み合わせはこれに限らない。即ち、例えば、上述した図１に示す実施の形態と同様に、電圧比較器ＣＭＰ１は、ＡＧＣ電圧ＲＦ  ＡＧＣａ、ＡＧＣ電圧ＲＦ  ＡＧＣｂ、ＡＧＣ電圧ＩＦ  ＡＧＣａ、及びＡＧＣ電圧ＩＦ  ＡＧＣｂが入力される構成であっても構わない。この場合、例えば、ＡＧＣ電圧ＲＦ  ＡＧＣａ及びＡＧＣ電圧ＲＦ ＡＧＣｂが共に基準電圧以下であり、かつ、ＡＧＣ電圧ＩＦ  ＡＧＣａ及びＡＧＣ電圧ＩＦ ＡＧＣｂの少なくとも一方が基準電圧以下の場合に、スイッチＳＷ１を閉じる旨の信号を、スイッチＳＷ１に送出する構成が考えられる。
【０１７４】
電圧比較器ＣＭＰ１によるスイッチＳＷ１の制御は、どのようなタイミングで行っても構わないが、１回の放送を選局する毎、即ち、受信チャンネルを１回変更する毎に、上記制御を１回行うルーチンとするのが望ましい。これによって、受信機の受信チャンネルを変更した場合においても、第１及び第２のチューナー回路に所望のレベルの信号を供給することが可能になる。
【０１７５】
このようにして、復調器ＤＥＭＯＤａ及びＤＥＭＯＤｂに入力される信号のレベルの変化に応じて、バルン２１が分配・出力する信号のレベルを、第１及び第２のチューナー回路が所望するレベルに制御することが可能となる。
【０１７６】
また、チューナー１１の入力端子１ｉｎが、上記受信機に、配線を有さない状態で接続され、さらに分配器をチューナー１１の内部に備える構成であるため、同軸ケーブルの本数を少なくすることができる。
【０１７７】
従って、複数の同軸ケーブルを使用することに起因するコストの増大を抑制し、材料費及び作業工数の削減が可能になる。
〔実施の形態３〕
図４は、本発明に係る別のチューナーの回路ブロック図である。
【０１７８】
図４に示すチューナー１２は、図１に示すチューナー１０において、入力端子１ｉｎとバルン２１との間には、広帯域増幅器ＡＭＰ１とスイッチＳＷ１との並列回路の代わりに、広帯域増幅器ＡＭＰ２と広帯域増幅器ＡＭＰ３との並列回路が、入力端子１ｉｎ及びバルン２１と直列に接続されている。さらに、上記並列回路の入力端子１ｉｎ側の接続部はスイッチＳＷ２によって構成されている。
【０１７９】
広帯域増幅器ＡＭＰ２は、入力端子１ｉｎから入力されたＲＦ信号を増幅する。なお、広帯域増幅器ＡＭＰ２は、自身に入力された信号を増幅するようなものであればよく、このような広帯域増幅器としては周知の構成であるいかなる広帯域増幅器をも用いることが可能である。
【０１８０】
広帯域増幅器ＡＭＰ３は、入力端子１ｉｎから入力されたＲＦ信号を増幅する。なお、広帯域増幅器ＡＭＰ３は、自身に入力された信号を増幅するようなものであればよく、このような広帯域増幅器としては周知の構成であるいかなる広帯域増幅器をも用いることが可能である。
【０１８１】
但し、広帯域増幅器ＡＭＰ２及び広帯域増幅器ＡＭＰ３は、それぞれが異なる利得特性を有する必要がある。即ち、広帯域増幅器ＡＭＰ２の増幅度と広帯域増幅器ＡＭＰ３の増幅度とが異なる構成である必要がある。増幅度が大きい方の増幅器は、レベルの小さな信号を大幅に増幅し、当該信号の雑音指数を低下させる。また、増幅度が小さい方の増幅器は、レベルの大きな信号をわずかに増幅し、増幅による歪みを抑える。ここでは、広帯域増幅器ＡＭＰ２を増幅度が大きい方の増幅器とし、広帯域増幅器ＡＭＰ３を増幅度が小さい方の増幅器とするが、当然ながら逆の組み合わせであっても構わない。また、広帯域増幅器ＡＭＰ２の利得は例えば、５〜１０ｄＢの範囲に、広帯域増幅器ＡＭＰ３の利得は例えば、１０〜２０ｄＢの範囲に設定するのが望ましいが、これに限るものではない。即ち、広帯域増幅器ＡＭＰ２及びＡＭＰ３の利得は、チューナーの特性等に応じて適宜設定すればよい。
【０１８２】
スイッチＳＷ２は、例えばｃ接点動作を行う単極の切替スイッチからなり、電圧比較器ＣＭＰ１からの制御信号を基に、広帯域増幅器ＡＭＰ２に接続される状態と、広帯域増幅器ＡＭＰ３に接続される状態とを切り替えるスイッチである。このようなスイッチＳＷ２としては、電圧比較器ＣＭＰ１から送信される信号に応じて切り替えができるものでさえあればよく、このようなスイッチであれば、周知の構成であるいかなるスイッチをも用いることが可能である。もちろん、スイッチＳＷ２は、ｃ接点動作を行う単極の切替スイッチに限られるものではない。
【０１８３】
また、復調器ＤＥＭＯＤａは電圧比較器ＣＭＰ１に接続されており、中間周波増幅器ＩＦ  ＡＭＰａに出力したＡＧＣ電圧ＩＦ  ＡＧＣａのみを電圧比較器ＣＭＰ１にも同様に出力する。
【０１８４】
さらに、復調器ＤＥＭＯＤｂは電圧比較器ＣＭＰ１に接続されており、中間周波増幅器ＩＦ  ＡＭＰｂに出力したＡＧＣ電圧ＩＦ  ＡＧＣｂのみを電圧比較器ＣＭＰ１にも同様に出力する。
【０１８５】
電圧比較器ＣＭＰ１は、ＡＧＣ電圧ＩＦ  ＡＧＣａ及びＡＧＣ電圧ＩＦ  ＡＧＣｂが入力され、それぞれの電圧値が、基準電圧（例えば３Ｖ）以上であるか否かを判定する。そして、判定結果に基づき、広帯域増幅器ＡＭＰ２に接続する旨の信号または広帯域増幅器ＡＭＰ３に接続する旨の信号を、スイッチＳＷ２に出力する。
【０１８６】
復調器ＤＥＭＯＤａが中間周波増幅器ＩＦ  ＡＭＰａの利得を制御するために出力したＡＧＣ電圧ＩＦ  ＡＧＣａの電圧値が電圧比較器ＣＭＰ１に入力される。さらに、復調器ＤＥＭＯＤｂが中間周波増幅器ＩＦ  ＡＭＰｂの利得を制御するために出力したＡＧＣ電圧ＩＦ  ＡＧＣｂの電圧値が電圧比較器ＣＭＰ１に入力される。
【０１８７】
電圧比較器ＣＭＰ１は、入力されたＡＧＣ電圧ＩＦ  ＡＧＣａ及びＡＧＣ電圧ＩＦ  ＡＧＣｂの電圧値が、それぞれ基準電圧（例えば３Ｖ）以上であるか否かを判定する。そして、下記〔表３〕のように、電圧比較器ＣＭＰ１は、ＡＧＣ電圧ＩＦ  ＡＧＣａ及びＡＧＣ電圧ＩＦ ＡＧＣｂが共に基準電圧以上の場合にのみ、広帯域増幅器ＡＭＰ２に接続する旨の信号を、スイッチＳＷ２に送出する。
【０１８８】
【表３】
2008271441.tif 000005
【０１８９】
但し、ここで電圧比較器ＣＭＰ１は、スイッチＳＷ２を２値のロジック信号で制御しているものとし、広帯域増幅器ＡＭＰ２に接続する（切替手段の第１の状態）旨の信号をＬｏｗ、広帯域増幅器ＡＭＰ３に接続する（切替手段の第２の状態）旨の信号をＨｉｇｈとしている。
【０１９０】
従って、第１及び／または第２のチューナー回路に入力される信号のレベルが小さい場合は、広帯域増幅器ＡＭＰ２によって大幅に増幅された状態で入力端子１ｉｎから入力されるＲＦ信号がバルン２１に入力される。また、第１及び／または第２のチューナー回路に入力される信号のレベルが大きい場合、上記ＲＦ信号は、広帯域増幅器ＡＭＰ３によって僅かに増幅された状態でバルン２１に入力される。
【０１９１】
これによって、バルン２１は第１及び第２のチューナー回路の受信状態に応じて、当該第１及び第２のチューナー回路が所望するレベルのＲＦ信号を適切に出力する。そして、バルン２１から出力された信号は、高周波増幅器ＲＦ  ＡＭＰａ、高周波増幅器ＲＦ  ＡＭＰｂ、中間周波増幅器ＩＦ  ＡＭＰａ、及び中間周波増幅器ＩＦ  ＡＭＰｂによって適正に利得制御される。そして、復調器ＤＥＭＯＤａ及びＤＥＭＯＤｂへ入力される信号のレベルは一定に保たれる。
【０１９２】
なお、本実施の形態は、バルン２１の前段に、広帯域増幅器ＡＭＰ２及び広帯域増幅器ＡＭＰ３という、２個の広帯域増幅器を有する構成であるが、これに限らず、必要に応じて３個以上の広帯域増幅器を設ける構成であってもよい。
【０１９３】
例えば、ｎ個の広帯域増幅器を有する場合、電圧比較器ＣＭＰ１は、入力されたＡＧＣ電圧ＩＦ  ＡＧＣａ及びＡＧＣ電圧ＩＦ ＡＧＣｂに応じてスイッチＳＷ２をｎ段階に切り替えることによって、広帯域増幅器による増幅度をｎ段階に切り替えるような構成が考えられる。
【０１９４】
また、本実施の形態では〔表３〕のとおり、電圧比較器ＣＭＰ１は、ＡＧＣ電圧ＩＦ  ＡＧＣａ及びＡＧＣ電圧ＩＦ ＡＧＣｂが共に基準電圧以上の場合にのみ広帯域増幅器ＡＭＰ２に接続する旨の信号を、スイッチＳＷ２に送出している。
【０１９５】
しかしながら、スイッチＳＷ２が広帯域増幅器ＡＭＰ２及びＡＭＰ３のいずれに接続するのかを制御する方法はこれに限らない。即ち、例えば、電圧比較器ＣＭＰ１は、ＡＧＣ電圧ＩＦ  ＡＧＣａ及び／またはＡＧＣ電圧ＩＦ ＡＧＣｂが基準電圧以上である場合に、広帯域増幅器ＡＭＰ２に接続する旨の信号を、スイッチＳＷ２に送出する構成であってもよい。
【０１９６】
また、広帯域増幅器ＡＭＰ２の構成を工夫することによって、利得を無段階に切り替えることができる広帯域増幅器ＡＭＰ４を実現することも可能である。
【０１９７】
即ち、図５に示すチューナー１０ａのとおり、入力端子１ｉｎとバルン２１との間には、例えば後述する図６（ａ）〜（ｅ）に示す構成の広帯域増幅器ＡＭＰ４のみを設け、さらに上述した実施の形態にて使用したスイッチＳＷ１を、広帯域増幅器ＡＭＰ２と電圧比較器ＣＭＰ１との間に直列接続する。
【０１９８】
また、電圧比較器ＣＭＰ１は、利得制御電圧（広帯域増幅器ＡＭＰ４の利得を制御させる電圧。利得制御電圧の電圧値に応じて利得が変化する）を広帯域増幅器ＡＭＰ４の所定の端子に印加する。電圧比較器ＣＭＰ１は、自身に入力される、ＡＧＣ電圧ＲＦ  ＡＧＣａ、ＲＦ  ＡＧＣｂ、ＩＦ  ＡＧＣａ及びＩＦ ＡＧＣｂの少なくともいずれか１つ、或いは全ての電圧値に基づいて、スイッチＳＷ１の開閉を制御する。
【０１９９】
そして、スイッチＳＷ１が閉じる（切替手段の第１の状態）状態においては、電圧比較器ＣＭＰ１と広帯域増幅器ＡＭＰ４とが導通し、それにより利得制御電圧が広帯域増幅器ＡＭＰ４に印加され、広帯域増幅器ＡＭＰ４の利得は上昇するため、信号は大きく増幅される。
【０２００】
また、スイッチＳＷ１が開く（切替手段の第２の状態）状態においては、電圧比較器ＣＭＰ１と広帯域増幅器ＡＭＰ４とが非導通状態となる。そして、それにより利得制御電圧は広帯域増幅器ＡＭＰ４には印加されず、広帯域増幅器ＡＭＰ４の利得は上昇しないため、信号はあまり増幅されない。
【０２０１】
上記の構成によれば、広帯域増幅器ＡＭＰ４のみを設ける構成で、上記広帯域増幅器ＡＭＰ２及びＡＭＰ３を設ける形態と略同様の効果を得ることができる。従って、簡単な回路で、本実施の形態に係る信号分配装置を実現することが可能になる。
【０２０２】
ここで、広帯域増幅器ＡＭＰ４の構成の一例について、図６（ａ）〜（ｆ）を用いて簡単に説明する。
【０２０３】
まず、図６（ａ）に示す回路は、図６（ｂ）〜（ｆ）に示す、広帯域増幅器ＡＭＰ４として好適に使用される広帯域増幅器の構成の一部となる、トランジスタＴｒ１のコレクタからベースへの帰還回路を含む電流帰還バイアストランジスタ増幅回路である。
【０２０４】
広帯域増幅器は、トランジスタＴｒ１を備えている。トランジスタＴｒ１のベースは、コンデンサＣ１を介して入力端子１ｉｎ（図５）に接続されている。トランジスタＴｒ１のベースは、抵抗Ｒ２の一端にさらに接続されている。抵抗Ｒ２の他端は、グランド電位に保持されている。トランジスタＴｒ１のコレクタは、コンデンサＣ４を介して出力端子に接続されている。トランジスタＴｒ１のエミッタには、抵抗Ｒ４の一端とコンデンサＣ３の一端とが接続されている。抵抗Ｒ４とコンデンサＣ３とは、互いに並列に配置されている。抵抗Ｒ４の他端とコンデンサＣ３の他端とは、グランド電位に保持されている。
【０２０５】
広帯域増幅器には、トランジスタＴｒ１のコレクタからベースへの帰還回路が設けられている。この帰還回路は、直列に接続されたインダクタンスＬ１と抵抗Ｒ３とコンデンサＣ２とを含んでいる。インダクタンスＬ１の一端はトランジスタＴｒ１のコレクタに接続されており、他端は抵抗Ｒ３の一端に接続されている。抵抗Ｒ３の他端はコンデンサＣ２の一端に接続されており、コンデンサＣ２の他端はトランジスタＴｒ１のベースに接続されている。
【０２０６】
トランジスタＴｒ１のコレクタには、さらにインダクタンスＬ２の一端が接続されており、インダクタンスＬ２の他端は、電圧源が接続される端子＋Ｂに接続されている。トランジスタＴｒ１のベースには、さらに抵抗Ｒ１の一端が接続されており、抵抗Ｒ１の他端は、端子＋Ｂに接続されている。端子＋Ｂには、さらにコンデンサＣ５の一端が接続されており、コンデンサＣ５の他端は、グランド電位に保持されている。
【０２０７】
そして、図６（ａ）の構成を有するトランジスタＴｒ１のコレクタからベースへの帰還回路を含む電流帰還バイアストランジスタ増幅回路を基に、図６（ｂ）〜（ｆ）に示す広帯域増幅器は、それぞれ下記の構成をさらに有する。
【０２０８】
図６（ｂ）に示す広帯域増幅器は、抵抗Ｒ５とダイオードＤ１とをさらに備えている。抵抗Ｒ５の一端は、トランジスタＴｒ１のベースに接続されており、他端は、ダイオードＤ１のカソードに接続されている。ダイオードＤ１のアノードは、電圧比較器ＣＭＰ１から出力される電圧が入力される入力端子（増幅器の所定の端子）ＳＷに接続されている。
【０２０９】
この図６（ｂ）に示す広帯域増幅器では、トランジスタＴｒ１のベースに印加されるバイアス電圧に、端子ＳＷから入力された電圧を重畳することで、トランジスタＴｒ１のベース電圧を変化させ、それによって、広帯域増幅器の利得を制御することができる。
【０２１０】
図６（ｃ）に示す広帯域増幅器は、抵抗Ｒ５とダイオードＤ１とをさらに備えている。抵抗Ｒ５の一端は、トランジスタＴｒ１のエミッタに接続されており、他端は、ダイオードＤ１のカソードに接続されている。ダイオードＤ１のアノードは、電圧比較器ＣＭＰ１から出力される電圧が入力される入力端子（増幅器の所定の端子）ＳＷに接続されている。
【０２１１】
この図６（ｃ）に示す広帯域増幅器では、トランジスタＴｒ１のエミッタ電圧を変化させることによって、トランジスタＴｒ１のベース電圧を変化させ、それによって広帯域増幅器の利得を制御することができる。
【０２１２】
図６（ｄ）に示す広帯域増幅器は、抵抗Ｒ６・Ｒ７・Ｒ８・Ｒ９とコンデンサＣ６・Ｃ７とダイオードＤ２とをさらに備えている。コンデンサＣ６の一端は、コンデンサＣ２と抵抗Ｒ３との間に接続されており、他端は抵抗Ｒ６の一端に接続されている。抵抗Ｒ６の他端は、電圧源が接続される端子＋Ｂに接続されている。コンデンサＣ６と抵抗Ｒ６との間には、抵抗Ｒ７の一端と抵抗Ｒ８の一端とが接続されている。抵抗Ｒ７と抵抗Ｒ８とは、互いに並列に配置されている。抵抗Ｒ７の他端は、グランド電位に保持されている。抵抗Ｒ８の他端には、ダイオードＤ２のカソードが接続されている。ダイオードＤ２のアノードは、抵抗Ｒ９を介して、電圧比較器ＣＭＰ１から出力される電圧が入力される入力端子ＳＷに接続されている。ダイオードＤ２のアノードには、さらにコンデンサＣ７の一端が接続されており、コンデンサＣ７の他端は、インダクタンスＬ１の抵抗Ｒ３側の一端に接続されている。
【０２１３】
この図６（ｄ）に示す広帯域増幅器では、図６（ａ）のコレクタからベースへの帰還回路を含む、電流帰還バイアストランジスタ増幅回路における、帰還抵抗の値を変化させることによって、トランジスタＴｒ１のベース電圧を変化させ、それによって広帯域増幅器の利得を制御することができる。
【０２１４】
図６（ｅ）に示す広帯域増幅器は、抵抗Ｒ１０・Ｒ１１・Ｒ１２とコンデンサＣ８・Ｃ９とダイオードＤ３とをさらに備えている。トランジスタＴｒ１のエミッタにはさらに、コンデンサＣ８の一端が接続されている。コンデンサＣ８の他端には、ダイオードＤ３のアノードが接続されている。また、コンデンサＣ８の他端には、抵抗Ｒ１０の一端が接続されており、抵抗Ｒ１０の他端は、電圧比較器ＣＭＰ１から出力される電圧が入力される入力端子ＳＷに接続されている。ダイオードＤ３のカソードには、コンデンサＣ９の一端が接続されており、コンデンサＣ９の他端は、グランド電位に保持されている。さらに、ダイオードＤ３のカソードには、抵抗Ｒ１１の一端と抵抗Ｒ１２の一端とが接続されている。抵抗Ｒ１１の他端は、電圧源が接続される端子＋Ｂに接続されている。抵抗Ｒ１２の他端は、グランド電位に保持されている。
【０２１５】
この図６（ｅ）に示す広帯域増幅器では、トランジスタＴｒ１のエミッタ抵抗の値を変化させることによってエミッタ電圧を変化させる。そして、エミッタ電圧の変化によってトランジスタＴｒ１のベース電圧を変化させ、それによって広帯域増幅器の利得を制御することができる。
【０２１６】
図６（ｆ）に示す広帯域増幅器は、抵抗Ｒ１３と可変容量ダイオードＶＤ１とをさらに備えている。可変容量ダイオードＶＤ１は、コンデンサＣ３とコンデンサＣ３の接地面との間に接続される。即ち、可変容量ダイオードＶＤ１は、カソードがコンデンサＣ３のトランジスタＴｒ１と反対側の端子に接続されており、アノードがＧＮＤ電位に保持されている。抵抗Ｒ１３は、一端がコンデンサＣ３と可変容量ダイオードＶＤ１のカソードとの間に接続されており、他端が電圧比較器ＣＭＰ１から出力される電圧が入力される入力端子ＳＷに接続されている。
【０２１７】
この図６（ｆ）に示す広帯域増幅器では、可変容量ダイオードＶＤ１の容量を変化させることによってエミッタ接地容量の値を変化させ、当該エミッタ接地容量の値の変化によってエミッタ電圧を変化させる。そして、エミッタ電圧の変化によってトランジスタＴｒ１のベース電圧を変化させ、それによって広帯域増幅器の利得を制御することができる。
【０２１８】
なお、図６（ａ）〜（ｆ）に示す回路はいずれも、周知の構成、或いは周知の構成の組み合わせにより為し得るものであるため、ここでは動作及び機能についての詳細な説明を省略する。
【０２１９】
なお、図６（ｂ）〜（ｆ）の広帯域増幅器を広帯域増幅器ＡＭＰ４として設け、かつ電圧比較器ＣＭＰ１におけるＡＧＣ電圧の比較結果に応じて、電圧比較器ＣＭＰ１が出力する信号のレベルを多段階に切り替えることによって、広帯域増幅器ＡＭＰ４は、多段階の利得の切り替えが可能となる。この場合、電圧比較器ＣＭＰ１が出力する信号によって広帯域増幅器ＡＭＰ４の利得を切り替える動作は、上述した図６（ｂ）〜（ｆ）の動作と略同様となるので、ここでは詳細な説明は省略する。
【０２２０】
また、本実施の形態では、電圧比較器ＣＭＰ１は、ＡＧＣ電圧ＩＦ  ＡＧＣａ及びＡＧＣ電圧ＩＦ  ＡＧＣｂのみが入力される構成である。
【０２２１】
しかしながら、電圧比較器ＣＭＰ１に入力される電圧値の組み合わせはこれに限らない。即ち、例えば、上述した図１に示す実施の形態と同様に、電圧比較器ＣＭＰ１は、ＡＧＣ電圧ＲＦ  ＡＧＣａ、ＡＧＣ電圧ＩＦ  ＡＧＣａ、ＡＧＣ電圧ＲＦ  ＡＧＣｂ、及びＡＧＣ電圧ＩＦ  ＡＧＣｂが入力される構成であっても構わない。この場合、例えば電圧比較器ＣＭＰ１は、ＡＧＣ電圧ＩＦ  ＡＧＣａ及びＡＧＣ電圧ＩＦ ＡＧＣｂが共に基準電圧以上であり、かつＡＧＣ電圧ＲＦ  ＡＧＣａ及びＡＧＣ電圧ＲＦ ＡＧＣｂの少なくともいずれか一方が基準電圧以上の場合に、広帯域増幅器ＡＭＰ２に接続する旨の信号を、スイッチＳＷ２に送出する構成が考えられる。
【０２２２】
電圧比較器ＣＭＰ１によるスイッチＳＷ２の制御は、どのようなタイミングで行っても構わないが、１回の放送を選局する毎、即ち、受信チャンネルを１回変更する毎に、上記制御を１回行うルーチンとするのが望ましい。これによって、受信機の受信チャンネルを変更した場合においても、第１及び第２のチューナー回路に所望のレベルの信号を供給することが可能になる。
【０２２３】
このようにして、復調器ＤＥＭＯＤａ及びＤＥＭＯＤｂに入力される信号のレベルの変化に応じて、バルン２１が分配・出力する信号のレベルを、第１及び第２のチューナー回路が所望するレベルに制御することが可能となる。
【０２２４】
また、チューナー１２の入力端子１ｉｎが、上記受信機に、配線を有さない状態で接続され、さらに分配器をチューナー１２の内部に備える構成であるため、同軸ケーブルの本数を少なくすることができる。
【０２２５】
従って、複数の同軸ケーブルを使用することに起因するコストの増大を抑制し、材料費及び作業工数の削減が可能になる。
〔実施の形態４〕
図７は、本発明に係る別のチューナーの回路ブロック図である。
【０２２６】
図７に示すチューナー１３は、図１に示すチューナー１０において、入力端子１ｉｎとバルン２１との間には、広帯域増幅器ＡＭＰ１とスイッチＳＷ１との並列回路の代わりに、可変減衰器ＡＴＴ２と広帯域増幅器ＡＭＰ１との直列回路が、入力端子１ｉｎ及びバルン２１と直列に接続されている。また、電圧比較器ＣＭＰ１の代わりに、ＣＰＵ（Central Processing Unit）２２を備える構成である。
【０２２７】
可変減衰器ＡＴＴ２は、入力端子１ｉｎから入力されたＲＦ信号を減衰する。なお、可変減衰器ＡＴＴ２は例えば、消費電力を変化させることで減衰量を制御することが可能であるものが使用される。また、可変減衰器ＡＴＴ２の減衰量は例えば、０〜１５ｄＢで可変であるのが望ましいが、これに限るものではない。即ち、可変減衰器ＡＴＴ２が可変である減衰量の範囲は、チューナーの特性等に応じて適宜設定すればよい。さらに、可変減衰器ＡＴＴ２は、後述するＣＰＵ２２からの制御信号に応じて、可変減衰器ＡＴＴ２の消費電力を変化させることによって、減衰量を変化させることができる。可変減衰器ＡＴＴ２の具体的な構成例については後述する。
【０２２８】
復調器ＤＥＭＯＤａは、ＣＰＵ２２に接続されており、復調器ＤＥＭＯＤａのＡＧＣ電圧ＡＧＣａのレジスタ値をＣＰＵ２２に出力する。また、復調器ＤＥＭＯＤｂは、ＣＰＵ２２に接続されており、復調器ＤＥＭＯＤｂのＡＧＣ電圧ＡＧＣｂのレジスタ値をＣＰＵ２２に出力する。
【０２２９】
なお、ここで言う復調器ＤＥＭＯＤａのＡＧＣ電圧ＡＧＣａとは、復調器ＤＥＭＯＤａのＡＧＣ電圧ＲＦ  ＡＧＣａ及びＡＧＣ電圧ＩＦ  ＡＧＣａの電圧値を、復調器ＤＥＭＯＤｂのＡＧＣ電圧ＡＧＣｂとは、復調器ＤＥＭＯＤｂのＡＧＣ電圧ＲＦ  ＡＧＣｂ及びＡＧＣ電圧ＩＦ  ＡＧＣｂの電圧値を指す。
【０２３０】
また、ここで言うレジスタ値とは、所定の値を２進１０ビットの値からなる２値データとして表し、さらに当該２値データを１０進数に変換して表示した値である。つまり、復調器ＤＥＭＯＤａのＡＧＣ電圧ＡＧＣａのレジスタ値とは、復調器ＤＥＭＯＤａのＡＧＣ電圧ＲＦ  ＡＧＣａ及びＡＧＣ電圧ＩＦ  ＡＧＣａの電圧値の組み合わせに応じて、当該電圧値の組み合わせを、０〜１０２４の数字によって表した値である。また、ここで言う復調器ＤＥＭＯＤｂのＡＧＣ電圧ＡＧＣｂのレジスタ値とは、復調器ＤＥＭＯＤｂのＡＧＣ電圧ＲＦ  ＡＧＣｂ及びＡＧＣ電圧ＩＦ  ＡＧＣｂの電圧値の組み合わせに応じて、当該電圧値の組み合わせを、０〜１０２４の数字によって表した値である。
【０２３１】
ＣＰＵ２２は、減衰量制御部（電圧比較制御手段）２３を備える。減衰量制御部２３は、復調器ＤＥＭＯＤａ及びＤＥＭＯＤｂから入力されたＡＧＣ電圧ＡＧＣａ及びＡＧＣｂのレジスタ値に基づき、可変減衰器ＡＴＴ２の減衰量を制御する。
【０２３２】
また、ＡＧＣ電圧ＡＧＣａの電圧値のレジスタ値は、ＡＧＣ電圧ＡＧＣａの電圧値の大きさに応じて、例えば当該電圧値が大きい場合から順に、０，１，２…，１０２４、という具合に与えられるものとする。ＡＧＣ電圧ＡＧＣｂの電圧値のレジスタ値は、ＡＧＣ電圧ＡＧＣｂの電圧値の大きさに応じて、例えば当該電圧値が大きい場合から順に、０，１，２…，１０２４、という具合に与えられるものとする。
【０２３３】
さらに、ＡＧＣ電圧ＡＧＣａ及びＡＧＣ電圧ＡＧＣｂは共に、電圧値のレジスタ値が０〜１００の場合は図２（ａ）の領域Ａに、９０１〜１０２４の場合は図２（ａ）の領域Ｄに、１０１〜９００の場合は図２（ａ）の領域Ｂ或いは領域Ｃに属するものとしている。
【０２３４】
復調器ＤＥＭＯＤａが出力したＡＧＣ電圧ＡＧＣａの電圧値のレジスタ値及び復調器ＤＥＭＯＤｂが出力したＡＧＣ電圧ＡＧＣｂの電圧値のレジスタ値は、ＣＰＵ２２に入力される。
【０２３５】
ＡＧＣ電圧ＡＧＣａ及びＡＧＣｂの電圧値のレジスタ値がＣＰＵ２２に入力されると、減衰量制御部２３は、自身に入力されたＡＧＣ電圧ＡＧＣａ及びＡＧＣｂの電圧値のレジスタ値が規定の範囲内に入っているか否かを判定し、判定結果に応じて可変減衰器ＡＴＴ２に供給する電圧を変化させ、可変減衰器ＡＴＴ２の減衰量を変化させる。
【０２３６】
なお、上記規定の範囲とは、本発明に係るチューナーにエラーが発生せず、放送の受信に支障をきたさない範囲であれば、どのような範囲であっても構わない。言い換えれば、チューナーに入力されるＲＦ信号のレベルが、図２（ａ）の領域Ｂ，Ｃに属する範囲内であれば、上記規定の範囲として、任意の範囲を規定することができる。
【０２３７】
ここでは、上述したとおり、ＡＧＣ電圧ＡＧＣａ及びＡＧＣ電圧ＡＧＣｂは共に、電圧値のレジスタ値が１０１〜９００である場合に領域Ｂ或いは領域Ｃに属する。従って、ここで規定の範囲を例えば、ＡＧＣ電圧ＡＧＣａの電圧値のレジスタ値、ＡＧＣ電圧ＡＧＣｂの電圧値のレジスタ値共に、１５０以上８５０以下と設定する。
【０２３８】
つまり、減衰量制御部２３に入力されたＡＧＣ電圧ＡＧＣａ及びＡＧＣｂの電圧値のレジスタ値の少なくともいずれか一方が、上記規定の範囲から逸脱している場合、減衰量制御部２３は、当該電圧値が共に当該規定の範囲内に入るように、可変減衰器ＡＴＴ２の減衰量を調節する。
【０２３９】
即ち、ＡＧＣ電圧ＡＧＣａ及び／またはＡＧＣｂの、少なくともいずれか一方の電圧値のレジスタ値が１５０未満であった場合、復調器ＤＥＭＯＤａ及び／またはＤＥＭＯＤｂに入力されたＲＦ信号は小さく、図２（ａ）の領域Ａに該当する可能性が高いと考えられる。そのため減衰量制御部２３は、可変減衰器ＡＴＴ２の減衰量を低下する。
【０２４０】
また、ＡＧＣ電圧ＡＧＣａ及び／またはＡＧＣ電圧ＡＧＣｂの、少なくともいずれか一方の電圧値のレジスタ値が８５０を超える場合、復調器ＤＥＭＯＤａ及び／またはＤＥＭＯＤｂに入力されたＲＦ信号は大きく、図２（ａ）の領域Ｄに該当する可能性が高いと考えられる。そのため減衰量制御部２３は、可変減衰器ＡＴＴ２の減衰量を上昇する。
【０２４１】
そして、可変減衰器ＡＴＴ２によって減衰されたＲＦ信号は、広帯域増幅器ＡＭＰ１によって増幅され、バルン２１に出力される。
【０２４２】
ここで、減衰器ＡＴＴ１及び可変減衰器ＡＴＴ２の構成について簡単に説明する。
【０２４３】
図８（ａ）は、本発明に係るチューナーに設けられる減衰器の一構成例を示す図であり、図８（ｂ）は、本発明に係るチューナーに設けられる可変減衰器の一構成例を示す図である。
【０２４４】
図８（ａ）に示す減衰器は、下記のとおりの回路構成を有する。
【０２４５】
即ち、入力端子と出力端子との間に、コンデンサＣａ、抵抗Ｒｂ・Ｒｄ及びコンデンサＣｃの直列回路が接続されている。コンデンサＣａの抵抗Ｒｂ側の端子には、抵抗Ｒａの一端が接続されており、抵抗Ｒａの他端は、電圧源が接続される端子＋Ｂに接続されている。コンデンサＣａの抵抗Ｒｂ側の端子には、さらにダイオードＤａのカソードが接続されており、ダイオードＤａのアノードは、電圧比較器ＣＭＰ１から出力される電圧が入力される入力端子ＳＷに抵抗Ｒｅを介して接続されている。ダイオードＤａのアノードには、さらにコンデンサＣｂの一方の端子が接続されており、コンデンサＣｂの他方の端子は、コンデンサＣｃの抵抗Ｒｄ側の端子に接続されている。抵抗Ｒｂの抵抗Ｒｄ側の一端には、抵抗Ｒｃの一端が接続されており、抵抗Ｒｃの他端は、グランド電位に保持されている。
【０２４６】
また、図８（ｂ）に示す可変減衰器は、下記のとおりの回路構成を有する。
【０２４７】
即ち、入力端子と出力端子との間に、コンデンサＣｄ、ダイオードＤｃ、及びコンデンサＣｉの直列回路が接続されている。なお、ダイオードＤｃは、カソードがコンデンサＣｄに接続されており、アノードがコンデンサＣｉに接続されている。コンデンサＣｄのダイオードＤｃ側の端子には、さらに抵抗Ｒｆの一端が接続されており、抵抗Ｒｆの他端は、グランド電位に保持されている。ダイオードＤｃのカソードには、さらにダイオードＤｂのカソードが接続されており、ダイオードＤｂのアノードには、コンデンサＣｅの一端が接続されており、コンデンサＣｅの他端は、グランド電位に保持されている。ダイオードＤｃのアノードには、さらにインダクタンスＬａの一端が接続されており、インダクタンスＬａの他端は、トランジスタＴｒａのエミッタに接続されている。トランジスタＴｒａのベースは、電圧比較器ＣＭＰ１から出力される電圧が入力される入力端子ＳＷに抵抗Ｒｇを介して接続されており、トランジスタＴｒａのコレクタは、電圧源が接続される端子＋Ｂに接続されている。コンデンサＣｉのダイオードＤｃ側の端子には、コンデンサＣｆの一端が接続されている。コンデンサＣｆの他端には、ダイオードＤｄのアノードが接続されている。ダイオードＤｄのカソードには、コンデンサＣｇの一端が接続されている。コンデンサＣｇの他端は、グランド電位に保持されている。また、ダイオードＤｄのカソードには、さらに抵抗Ｒｈの一端が接続されており、抵抗Ｒｈの他端は、ダイオードＤｂのアノードに接続されている。トランジスタＴｒａのコレクタには、抵抗Ｒｉの一端が接続されている。抵抗Ｒｉの他端には、抵抗Ｒｊの一端が接続されている。抵抗Ｒｊの他端は、グランド電位に保持されている。また、抵抗Ｒｊの一端とダイオードＤｄのアノードとが接続されている。電圧源が接続される端子＋Ｂには、コンデンサＣｈの一端が接続されており、コンデンサＣｈの他端はグランド電位に保持されている。
【０２４８】
なお、図８（ａ）・（ｂ）に示す回路はいずれも、周知の構成、或いは周知の構成の組み合わせにより為し得るものであるため、ここでは動作及び機能についての詳細な説明を省略する。
【０２４９】
これによって、バルン２１は第１及び第２のチューナー回路の受信状態に応じて、当該第１及び第２のチューナー回路が所望するレベルのＲＦ信号を適切に出力する。そして、バルン２１から出力された信号は、高周波増幅器ＲＦ  ＡＭＰａ、高周波増幅器ＲＦ  ＡＭＰｂ、中間周波増幅器ＩＦ  ＡＭＰａ、及び中間周波増幅器ＩＦ  ＡＭＰｂによって適正に利得制御される。そして、復調器ＤＥＭＯＤａ及びＤＥＭＯＤｂへ入力される信号のレベルは一定に保たれる。
【０２５０】
なお、本実施の形態では、復調器ＤＥＭＯＤａのＡＧＣ電圧ＡＧＣａの電圧値と復調器ＤＥＭＯＤｂのＡＧＣ電圧ＡＧＣｂの電圧値とを、レジスタ値として、２進１０ビットの値によって表現している。
【０２５１】
しかしながら、ＡＧＣ電圧ＡＧＣａ及びＡＧＣｂの表現方法はこれに限らず、例えば、復調器ＤＥＭＯＤａのＡＧＣ電圧ＡＧＣａの電圧値と復調器ＤＥＭＯＤｂのＡＧＣ電圧ＡＧＣｂの電圧値とを、レジスタ値として、２進８ビット等で表現しても構わない。
【０２５２】
また、本実施の形態では、ＡＧＣ電圧ＡＧＣａ及びＡＧＣｂの電圧値のレジスタ値は、当該電圧値が大きい場合から順に、０，１，２…，１０２４、という具合に与えられる。しかしながら、ＡＧＣ電圧ＡＧＣａ及びＡＧＣｂの電圧値と当該電圧値に与えられるレジスタ値との関係はこれに限らず、例えば、ＡＧＣ電圧ＡＧＣａ及びＡＧＣｂの電圧値のレジスタ値は、当該電圧値が小さい場合から順に、０，１，２…，１０２４、という具合に与えられてもよい。この場合、電圧値のレジスタ値が非常に高い場合は図２（ａ）の領域Ａに、低い場合は図２（ａ）の領域Ｄに属する。
【０２５３】
また、本実施の形態では、ＡＧＣ電圧ＡＧＣａにおける規定の範囲とＡＧＣ電圧ＡＧＣｂにおける規定の範囲とが、それぞれで同じ範囲に設定されているがこれに限らず、ＡＧＣ電圧ＡＧＣａにおける規定の範囲とＡＧＣ電圧ＡＧＣｂにおける規定の範囲とが、それぞれで異なる範囲に設定されても構わない。
【０２５４】
さらに、本実施の形態では、減衰量制御部２３は、ＡＧＣ電圧ＡＧＣａとＡＧＣ電圧ＡＧＣｂとを用いて可変減衰器ＡＴＴ２の減衰量を制御している。
【０２５５】
しかしながら、減衰量制御部２３が可変減衰器ＡＴＴ２の減衰量を制御する方法はこれに限らず、上記の方法以外にも、例えば、下記の方法が考えられる。
【０２５６】
即ち、復調器（エラー伝達手段）ＤＥＭＯＤａ及びＤＥＭＯＤｂは、自身にエラーが発生した場合、当該エラーに関するエラーフラグをＣＰＵ２２に出力する。そして、ＣＰＵ２２の減衰量制御部（エラーフラグ比較制御手段）２３は、上記エラーフラグに基づいて、可変減衰器ＡＴＴ２の減衰量を、復調器ＤＥＭＯＤａ及びＤＥＭＯＤｂにおけるエラーの発生が最小限となるような値に設定する。このようにして、可変減衰器ＡＴＴ２の減衰量を制御してもよい。
【０２５７】
ＣＰＵ２２による可変減衰器ＡＴＴ２の制御は、どのようなタイミングで行っても構わないが、１回の放送を選局する毎、即ち、受信チャンネルを１回変更する毎に、上記制御を１回行うルーチンとするのが望ましい。これによって、受信機の受信チャンネルを変更した場合においても、第１及び第２のチューナー回路に所望のレベルの信号を供給することが可能になる。
【０２５８】
このようにして、復調器ＤＥＭＯＤａ及びＤＥＭＯＤｂに入力される信号のレベルの変化に応じて、バルン２１が分配・出力する信号のレベルを、第１及び第２のチューナー回路が所望するレベルに制御することが可能となる。
【０２５９】
また、チューナー１３の入力端子１ｉｎが、上記受信機に、配線を有さない状態で接続され、さらに分配器をチューナー１３の内部に備える構成であるため、同軸ケーブルの本数を少なくすることができる。
【０２６０】
従って、複数の同軸ケーブルを使用することに起因するコストの増大を抑制し、材料費及び作業工数の削減が可能になる。
【０２６１】
また、本実施の形態は、上述した図３に示す実施の形態と組み合わせても構わない。
【０２６２】
即ち、本実施の形態は、入力端子１ｉｎとバルン２１との間に、可変減衰器ＡＴＴ２を設け、ＣＰＵ２２の減衰量制御部２３は、ＡＧＣ電圧ＡＧＣａとＡＧＣ電圧ＡＧＣｂの電圧値のレジスタ値が、上記規定の範囲内に入るように、可変減衰器ＡＴＴ２の減衰量を調節する構成である。
【０２６３】
しかしながら、ＣＰＵ２２の減衰量制御部２３によりバルン２１に入力されるＲＦ信号のレベルを制御する構成はこれに限らず、例えば、図７に示すチューナー１３の構成において、可変減衰器ＡＴＴ２の代わりに、減衰器ＡＴＴ１とスイッチＳＷ１との並列回路を設ける構成にしてもよい。
【０２６４】
そして、減衰量制御部２３は、ＡＧＣ電圧ＡＧＣａとＡＧＣ電圧ＡＧＣｂの電圧値のレジスタ値が、上記規定の範囲内に入るように、スイッチＳＷ１の開閉を制御する構成であってもよい。
〔実施の形態５〕
図９は、本発明に係る別のチューナーの回路ブロック図である。
【０２６５】
図９に示すチューナー１４は、図７に示すチューナー１３の構成において、可変減衰器ＡＴＴ２の代わりに、減衰器ＡＴＴ１とスイッチＳＷ１との並列回路が設けられる構成である。
【０２６６】
また、図９に示すチューナー１４は、設定値記録部２５を有するメモリ２４を備える。メモリ２４はＣＰＵ２２に接続されており、設定値記録部２５には、受信機が所定のチャンネルを受信した場合における、スイッチＳＷ１の好ましい開閉状態を設定するための設定値が、上記受信機が受信する複数の受信チャンネル毎に記録されている。
【０２６７】
さらに、減衰量制御部２３は、設定値記録部２５が記録する上記設定値に基づいて、スイッチＳＷ１の開閉を制御する。
【０２６８】
バルン２１の出力レベルは第１のチューナー回路と第２のチューナー回路とで同一である。従って、チューナー１４が設けられる上記受信機に対して初期の受信チャンネル設定を行う際に、ＲＦ信号が入力された際の第１のチューナー回路の動作のみを、受信チャンネル毎に予め調べておく。そして、受信する受信チャンネル毎に、復調器ＤＥＭＯＤａに発生するエラーが最小限となる上記設定値を、予め設定値記録部２５に記録しておき、当該設定値に基づきスイッチＳＷ１の開閉状態を制御する。
【０２６９】
これによって、第１のチューナー回路と第２のチューナー回路とがそれぞれ別々の受信チャンネルを受信した場合においても、ＣＰＵ２２は、既に設定値記録部２５に記録した、エラーが最小限となるスイッチＳＷ１の開閉の設定値を読み出し、当該設定値に従ってスイッチＳＷ１を制御する。これによって、復調器ＤＥＭＯＤａ及びＤＥＭＯＤｂに発生するエラーを最小限にすることが可能となる。
【０２７０】
即ち、例えば、上記受信機にチャンネル１〜チャンネル６を設定する場合を考える。この場合、例えば、下記の方法により上記設定値を設定することが考えられる。
【０２７１】
即ち、ＣＰＵ２２は、第１のチューナー回路がチャンネル１〜チャンネル６の各々のチャンネルを受信する場合において、スイッチＳＷ１が開いている場合及びスイッチＳＷ１が閉じている場合におけるエラーの回数を、例えば、復調器ＤＥＭＯＤａが出力するエラーフラグが入力された回数をカウントすることで計数する。
【０２７２】
こうして、第１のチューナー回路の受信チャンネル毎及びスイッチＳＷ１の開閉毎に復調器ＤＥＭＯＤａに発生するエラーの数を計数した結果、下記〔表４〕に示すグラフの結果が出たとする。
【０２７３】
【表４】
2008271441.tif 000006
【０２７４】
なお、上記〔表４〕に示す数字は、第１のチューナー回路が所定のチャンネル受信すると共にスイッチＳＷ１が所定の状態にある場合における、エラーの回数を示している。つまり、上記〔表４〕の、「チャンネル４」行・「ＳＷ１  ＣＬＯＳＥ（減衰量小）」列の「１０」という数字は、「第１のチューナー回路がチャンネル４を受信しており、かつスイッチＳＷ１が閉じた状態において、復調器ＤＥＭＯＤａでは、エラーが１０回発生した」ということを意味している。
【０２７５】
上記〔表４〕の結果を踏まえ、受信チャンネル毎に上記設定値を設定したのが、下記〔表５〕に示す表である。
【０２７６】
【表５】
2008271441.tif 000007
【０２７７】
なお、上記〔表５〕中、「ＣＬＯＳＥ」または「ＯＰＥＮ」の右隣に付された、括弧で囲まれた数字は、ＳＷ１の開閉状態を上記「ＣＬＯＳＥ」または「ＯＰＥＮ」に設定したときに、復調器ＤＥＭＯＤａに発生するエラーの数である。
【０２７８】
例えば、第１のチューナー回路がチャンネル２を受信し、第１のチューナー回路がチャンネル４を受信する場合を例に、上記設定値の設定方法について説明する。
【０２７９】
上記〔表４〕において、チャンネル２でのエラーの回数は、ＳＷ１が閉じている状態ではエラー数は「０」、ＳＷ１が開いている状態ではエラー数は「５」である。また、チャンネル４でのエラーの回数は、ＳＷ１が閉じている状態ではエラー数は「１０」、ＳＷ１が開いている状態ではエラー数は「０」である。
【０２８０】
従って、この場合、上記設定値は、よりエラーが少ないＳＷ１の開閉状態、即ち、ＳＷ１が開いている状態（エラー数「５」、なおスイッチＳＷ１を開いた場合はエラー数「１０」）に設定すればよい。
【０２８１】
そして、上記〔表５〕のとおりに設定した、受信チャンネル毎の上記設定値を、設定値記録部２５に記録する。
【０２８２】
その後、所定の受信チャンネルを受信したとき、ＣＰＵ２２の減衰量制御部２３は、設定値記録部２５に記録された、当該受信チャンネルにおけるスイッチＳＷ１の設定値に基づき、スイッチＳＷ１の開閉状態を制御する。
【０２８３】
これによって、第１のチューナー回路と第２のチューナー回路とがそれぞれ別々の受信チャンネルを受信した場合においても、ＣＰＵ２２は、既に設定値記録部２５に記録した、エラーが最小限となるスイッチＳＷ１の開閉の設定値を読み出し、当該設定値に従ってスイッチＳＷ１を制御するため、復調器ＤＥＭＯＤａ及びＤＥＭＯＤｂに発生するエラーを最小限にすることが可能となる。
【０２８４】
また、チューナー１４の入力端子１ｉｎが、上記受信機に、配線を有さない状態で接続され、さらに分配器をチューナー１４の内部に備える構成であるため、同軸ケーブルの本数を少なくすることができる。
【０２８５】
従って、複数の同軸ケーブルを使用することに起因するコストの増大を抑制し、材料費及び作業工数の削減が可能になる。
【０２８６】
また、本実施の形態は、上述した図７に示す実施の形態と組み合わせても構わない。
【０２８７】
即ち、本実施の形態では、入力端子１ｉｎとバルン２１との間に、減衰器ＡＴＴ１とスイッチＳＷ１との並列回路を設け、ＣＰＵ２２の減衰量制御部２３は、メモリ２４の設定値記録部２５が記録する上記設定値に基づいて、スイッチＳＷ１の開閉を制御することで、バルン２１に入力されるＲＦ信号のレベルを制御する構成である。
【０２８８】
しかしながら、ＣＰＵ２２の減衰量制御部２３によりバルン２１に入力されるＲＦ信号のレベルを制御する構成はこれに限らず、例えば、図９に示すチューナー１４の構成において、減衰器ＡＴＴ１とスイッチＳＷ１との並列回路の代わりに、可変減衰器ＡＴＴ２を設ける構成としてもよい。
【０２８９】
ここで、本実施の形態と上述した図７に示す実施の形態とを組み合わせた構成、即ち、図９に示すチューナー１４の構成において、減衰器ＡＴＴ１とスイッチＳＷ１との並列回路の代わりに、可変減衰器ＡＴＴ２を設ける構成とする場合における、可変減衰器ＡＴＴ２の減衰量の制御方法にについて、簡単に説明する。
【０２９０】
受信機が複数のチャンネルを受信する場合、第１のチューナー回路が各々のチャンネルを受信する場合において、可変減衰器ＡＴＴ２の減衰量の設定値が所定の値である場合におけるエラーの回数を、例えば、復調器ＤＥＭＯＤａが出力するエラーフラグが入力された回数をカウントすることで計数する。そしてこの計数動作を、可変減衰器ＡＴＴ２の、複数の減衰量の設定値について行う。そして、上記複数の減衰量の設定値についての計数結果を踏まえ、受信チャンネル毎における可変減衰器ＡＴＴ２の減衰量の設定値を設定する。
【０２９１】
下記〔表６〕及び〔表７〕に、可変減衰器ＡＴＴ２を用いて、バルン２１に入力されるＲＦ信号のレベルを制御する場合の、上記計数動作による計数結果及び可変減衰器ＡＴＴ２の減衰量の設定例を示す。
【０２９２】
【表６】
2008271441.tif 000008
【０２９３】
【表７】
2008271441.tif 000009
【０２９４】
なお、上記〔表７〕中、「５ｄＢ」または「１０ｄＢ」の右隣に付された、括弧で囲まれた数字は、ＳＷ１の開閉状態を上記「５ｄＢ」または「１０ｄＢ」に設定したときに、復調器ＤＥＭＯＤａに発生するエラーの数である。
【０２９５】
〔表６〕に示すとおり、上記計数動作は、例えば、可変減衰器ＡＴＴ２の減衰量の設定値が５ｄＢである場合と、可変減衰器ＡＴＴ２の減衰量の設定値が１０ｄＢである場合とで行えばよい。しかしながら、上記計数動作を行う可変減衰器ＡＴＴ２の減衰量の設定値は、５ｄＢ及び１０ｄＢに限らず、可変減衰器ＡＴＴ２が可変である減衰量等に応じて適宜設定すればよい。
【０２９６】
また、〔表７〕に示すとおり、可変減衰器ＡＴＴ２の減衰量の設定値は、よりエラーが少ない減衰量の設定値に設定すればよい。
【０２９７】
例えば、第１のチューナー回路がチャンネル２を受信し、第１のチューナー回路がチャンネル４を受信する場合、上記〔表６〕において、チャンネル２でのエラーの回数は、減衰量の設定値が５ｄＢの状態ではエラー数は「０」、減衰量の設定値が１０ｄＢの状態ではエラー数は「５」であり、チャンネル４でのエラーの回数は、減衰量の設定値が５ｄＢの状態ではエラー数は「１０」、減衰量の設定値が１０ｄＢの状態ではエラー数は「０」である。
【０２９８】
従って、この場合、ＡＴＴ２の減衰量の設定値は、よりエラーが少ないＳＷ１の開閉状態、即ち、ＳＷ１が開いている状態に設定すればよい。
【０２９９】
そして、上記〔表７〕のとおりに設定した、受信チャンネル毎のＡＴＴ２の減衰量の設定値を、設定値記録部２５に記録する。
【０３００】
その後、所定の受信チャンネルを受信したとき、ＣＰＵ２２の減衰量制御部２３は、設定値記録部２５に記録された、当該受信チャンネルにおけるＡＴＴ２の減衰量の設定値に基づき、スイッチＳＷ１の開閉状態を制御する。
【０３０１】
なお、本実施の形態では、第１のチューナー回路に発生するエラーの数を計数し、当該計数結果に応じてスイッチＳＷ１を制御しているがこれに限らず、第２のチューナー回路に発生するエラーの数を計数し、当該計数結果に応じてスイッチＳＷ１を制御してもよい。
【０３０２】
また、本実施の形態では、受信チャンネル毎及びスイッチＳＷ１の開閉毎に、チューナー回路に発生するエラーの数を計数し、当該計数結果に応じて設定した上記設定値を、メモリ２４に記録しているがこれに限らない。
【０３０３】
即ち、ＣＰＵ２２には、復調器ＤＥＭＯＤａ（或いはＤＥＭＯＤｂ）が出力するＡＧＣ電圧（ＲＦ  ＡＧＣａ及び／またはＲＦ  ＡＧＣｂ及び／またはＩＦ  ＡＧＣａ及び／またはＩＦ  ＡＧＣｂ）が入力され、受信チャンネル毎及びスイッチＳＷ１の開閉毎に、当該ＡＧＣ電圧の電圧値を調べ、その結果に応じて設定した上記設定値を、メモリ２４に記録してもよい。
【０３０４】
なお、図７に示す実施の形態及び本実施の形態のＣＰＵ２２における各処理は、当該処理をコンピュータ上で実行するための、ＣＤ−ＲＯＭ等の記録媒体に記録可能なプログラムとしてもよい。
【０３０５】
本実施の形態及び上述した実施の形態では、チューナーにチューナー回路を２つ備える場合について説明してきたが、これに限らず、本発明に係るチューナーには、チューナー回路が３つ以上設けられてもよい。なお、本発明に係るチューナーに、チューナー回路をいくつ設けるかについては、本発明に係るチューナーが設けられる受信機が同時に受信すべき受信チャンネル数等を考慮し、適宜決定すればよい。
【０３０６】
本発明に係るチューナーは、複数の放送を同時に受信することができる機能を有する機器における受信装置として、好適に利用することができる。なお、複数の放送を同時に受信することができる機能を有する機器としては、例えば、複数の放送や、映像入力端子に接続されたＤＶＤの映像等を同時に視聴することができるマルチ画面対応の機器や、録画する番組の予約時に、通常のＨＤＤ録画と裏録による録画とを選択することができ、予約が重なった場合は、裏録による録画に切り替えることで両方の番組の予約ができる裏録対応の機器が挙げられる。さらに、機器としては具体的に、テレビ受信機及びＤＶＤレコーダー等の機器が挙げられる。
【０３０７】
本発明は上述した各実施形態に限定されるものではなく、請求項に示した範囲で種々の変更が可能であり、異なる実施形態にそれぞれ開示された技術的手段を適宣組み合わせて得られる実施形態についても本発明の技術的範囲に含まれる。
【産業上の利用可能性】
【０３０８】
本発明は、複数の放送を同時に受信することができる機能を有する機器における受信装置に使用することができ、さらに、当該受信装置を備えた機器、例えばテレビ受信機またはＤＶＤレコーダーに好適に使用することができる。
【図面の簡単な説明】
【０３０９】
【図１】本発明の一実施形態を示すものであり、チューナーの一構成例を示す回路図である。
【図２】（ａ）は、チューナーに入力されるＲＦ信号と復調器のＡＧＣ電圧との関係を示すグラフであり、（ｂ）は、チューナーに入力されるＲＦ信号とチューナー全体の利得との関係を示すグラフであり、（ｃ）は、チューナーに入力されるＲＦ信号と復調器に入力される信号のレベルとの関係を示すグラフであり、（ｄ）は、チューナーに入力されるＲＦ信号と復調器に入力される信号のＢＥＲとの関係を示すグラフである。
【図３】本発明の別の実施形態を示すものであり、チューナーの一構成例を示す回路図である。
【図４】本発明の別の実施形態を示すものであり、チューナーの一構成例を示す回路図である。
【図５】本発明に係るチューナーに、利得を無段階に切り替えることができる広帯域増幅器を備えた構成の一構成例を示す図である。
【図６】（ａ）は、トランジスタのコレクタからベースへの帰還回路を含む、電流帰還バイアストランジスタ増幅回路の構成を示す図であり、（ｂ）〜（ｆ）は、利得を無段階に切り替えることができる広帯域増幅器の一構成例を示す図である。
【図７】本発明の別の実施形態を示すものであり、チューナーの一構成例を示す回路図である。
【図８】（ａ）は、本発明に係るチューナーに設けられる減衰器の一構成例を示す図であり、（ｂ）は、本発明に係るチューナーに設けられる可変減衰器の一構成例を示す図である。
【図９】本発明の別の実施形態を示すものであり、チューナーの一構成例を示す回路図である。
【図１０】複数の地上波デジタル放送を同時に受信することができる機器に搭載される、複数のチューナーを備えるセット基板の概略構成を示すブロック図である。
【符号の説明】
【０３１０】
１ｉｎ  入力端子
１０〜１４・１０ａ  チューナー（受信装置）
２１  バルン（分配器）
２２  ＣＰＵ
２３  減衰量制御部（電圧比較制御手段、エラーフラグ比較制御手段）
２４  メモリ
２５  設定値記録部
ＡＭＰ１・４  広帯域増幅器（増幅器、可変増幅器）
ＡＭＰ２  広帯域増幅器（第１の増幅器）
ＡＭＰ３  広帯域増幅器（第２の増幅器）
ＡＴＴ１  減衰器
ＡＴＴ２  可変減衰器
ＣＭＰ１  電圧比較器（電圧比較制御手段）
ＤＥＭＯＤａ・ＤＥＭＯＤｂ  復調器（エラー伝達手段）
ＳＷ１・ＳＷ２  スイッチ（切替手段）
【図１】
2008271441.tif 000010
【図２】
2008271441.tif 000011
【図３】
2008271441.tif 000012
【図４】
2008271441.tif 000013
【図５】
2008271441.tif 000014
【図６】
2008271441.tif 000015
【図７】
2008271441.tif 000016
【図８】
2008271441.tif 000017
【図９】
2008271441.tif 000018
【図１０】
2008271441.tif 000019